(57)【要約】【課題】光サージの発生を防ぎ、他の方路から多重される信号光の劣化を防ぐこと。【解決手段】ダミー光出力部４は、ダミー光を出力する。レベル制御部３は、受信部により受信した信号光の光レベルとダミー光出力部４から出力されたダミー光の光レベルとの和が所定の目標値になるように、ダミー光の光レベルを制御する。合波部２は、受信部により受信した信号光とレベル制御部３によって光レベルが制御されたダミー光とを合波する。合波部２によって合波された光は、光増幅部６に入力され、光増幅部６によって増幅される。【選択図】図１
2015095808.tif 000002
【特許請求の範囲】
【請求項１】
信号光を受信する受信部と、
ダミー光を出力するダミー光出力部と、
前記受信した信号光の光レベルと前記ダミー光出力部から出力されたダミー光の光レベルとの和が所定の目標値になるように、前記ダミー光の光レベルを制御するレベル制御部と、
前記受信した信号光と前記レベル制御部によって光レベルが制御されたダミー光とを合波する合波部と、
前記合波された光を増幅する光増幅部と、
を備えることを特徴とする光伝送装置。
【請求項２】
前記合波された光と、前記信号光が伝送された方路とは異なる他方路から受信した光とを多重する多重部と、をさらに備え、
前記光増幅部は、前記多重された光が入力されることを特徴とする請求項１に記載の光伝送装置。
【請求項３】
前記ダミー光出力部は、前記受信した信号光の光レベルが所定レベルより低下すると、前記ダミー光を出力することを特徴とする請求項１または２に記載の光伝送装置。
【請求項４】
前記ダミー光出力部は、前記信号光と同一波長のダミー光を出力することを特徴とする請求項１乃至３のいずれか一つに記載の光伝送装置。
【請求項５】
信号光の光レベルを取得し、
取得した前記信号光の光レベルと、ダミー光の光レベルとの和が所定の目標値になるように、前記ダミー光の光レベルを制御し、
前記信号光と光レベルが制御された前記ダミー光とを合波した光を増幅することを特徴とする光伝送方法。
【発明の詳細な説明】
【技術分野】
【０００１】
この発明は、光伝送装置及び光伝送方法に関する。
【背景技術】
【０００２】
従来、複数の異なる方路からの波長多重光を波長分割または波長多重して伝送する装置の一つにＲＯＡＤＭ（Ｒｅｃｏｎｆｉｇｕｒａｂｌｅ  Ｏｐｔｉｃａｌ  Ａｄｄ／Ｄｒｏｐ  Ｍｕｌｔｉｐｌｅｘｉｎｇ）装置がある。このような装置において、ある方路からの波長多重光が入力断であると判定された場合に、ダミー光を発光させて、入力断と判定された信号光をダミー光に切り替えて送信することによって、送信用の光アンプの出力を一定に保つ技術が開示されている（例えば、特許文献１参照）。
【先行技術文献】
【特許文献】
【０００３】
【特許文献１】特開２０１２−１０９６５３号公報
【発明の概要】
【発明が解決しようとする課題】
【０００４】
しかしながら、従来の装置では、入力断と判定された後にダミー光を発光させて切り替えを行うため、その切り替え時に送信用の光アンプに入力される光が瞬間的に途絶える瞬断が起こることがある。送信用の光アンプへの入力光の瞬断が起こると、送信用の光アンプの入力レベルが急変するため、光サージが発生することがある。また、入力断と判定された信号光の光レベルが小さくなっていく速さと、ダミー光の光レベルが大きくなっていく速さとが釣り合わない場合にも、送信用の光アンプの入力レベルが急変するため、光サージが発生することがある。光サージが発生すると、入力断と判定された方路からの光に多重される他の方路からの信号光が劣化するという問題点がある。
【０００５】
光サージの発生を防ぎ、他の方路から多重される信号光の劣化を防ぐことができる光伝送装置及び光伝送方法を提供することを目的とする。
【課題を解決するための手段】
【０００６】
光伝送装置は、受信部、ダミー光出力部、レベル制御部、合波部及び光増幅部を備える。受信部は、信号光を受信する。ダミー光出力部は、ダミー光を出力する。レベル制御部は、受信した信号光の光レベルとダミー光出力部から出力されたダミー光の光レベルとの和が所定の目標値になるように、ダミー光の光レベルを制御する。合波部は、受信した信号光とレベル制御部によって光レベルが制御されたダミー光とを合波する。光増幅部は、合波された光を増幅する。
【０００７】
光伝送方法は、信号光の光レベルを取得し、取得した信号光の光レベルと、ダミー光の光レベルとの和が所定の目標値になるように、ダミー光の光レベルを制御し、信号光と光レベルが制御されたダミー光とを合波した光を増幅する。
【発明の効果】
【０００８】
光伝送装置及び光伝送方法によれば、光サージの発生を防ぎ、他の方路から多重される信号光の劣化を防ぐことができる。
【図面の簡単な説明】
【０００９】
【図１】図１は、実施の形態にかかる光伝送装置の第１の例を示す図である。
【図２】図２は、実施の形態にかかる光伝送システムの一例を示す図である。
【図３】図３は、実施の形態にかかる光伝送方法の第１の例を示す図である。
【図４】図４は、実施の形態にかかる光伝送装置の第２の例を示す図である。
【図５】図５は、図４に示すＡＳＥ光源の出力光の光スペクトルを示す図である。
【図６】図６は、図４に示す光フィルタの出力光の光スペクトルを示す図である。
【図７】図７は、図４に示すモニタ回路及び制御回路のハードウェア構成の一例を示す図である。
【図８】図８は、図４に示すモニタ回路及び制御回路の機能的構成の一例を示す図である。
【図９】図９は、実施の形態にかかる光伝送方法の第２の例を示す図である。
【図１０】図１０は、図４に示す光伝送装置の正常時の波長配置例を示す図である。
【図１１】図１１は、図４に示す光伝送装置の障害時の波長配置例を示す図である。
【図１２】図１２は、図４に示す光伝送装置における障害時のポストアンプ入力パワーの変化を示す図である。
【図１３】図１３は、実施の形態にかかる光伝送装置の第３の例を示す図である。
【図１４】図１４は、図１３に示すＭ×１ＷＳＳの透過特性を示す図である。
【図１５】図１５は、信号光のみの場合のＷＳＳへの入力光及びＷＳＳの出力光の光スペクトルを示す図である。
【図１６】図１６は、ダミー光を追加した場合のＷＳＳへの入力光及びＷＳＳの出力光の光スペクトルを示す図である。
【図１７】図１７は、実施の形態にかかる光伝送装置の第４の例を示す図である。
【図１８】図１８は、実施の形態にかかる光伝送装置の第５の例を示す図である。
【図１９】図１９は、実施の形態にかかる光伝送装置の第６の例を示す図である。
【図２０】図２０は、図１９に示すモニタ回路及び制御回路の機能的構成の一例を示す図である。
【図２１】図２１は、実施の形態にかかる光伝送方法の第３の例を示す図である。
【図２２】図２２は、図１９に示すＷＳＳにおけるマッピング例を示す図である。
【図２３】図２３は、図１９に示す光伝送装置の正常時の波長配置例を示す図である。
【図２４】図２４は、図１９に示す光伝送装置の障害時の波長配置例を示す図である。
【図２５】図２５は、実施の形態にかかる光伝送装置の第７の例を示す図である。
【図２６】図２６は、図２５に示すモニタ回路及び制御回路の機能的構成の一例を示す図である。
【図２７】図２７は、図２５に示すモニタ回路及び制御回路の機能的構成の一例を示す図である。
【図２８】図２８は、実施の形態にかかる光伝送装置の第８の例を示す図である。
【図２９】図２９は、図２８に示すモニタ回路及び制御回路の機能的構成の一例を示す図である。
【図３０】図３０は、実施の形態にかかる光伝送方法の第４の例を示す図である。
【図３１】図３１は、実施の形態にかかる光伝送装置の第９の例を示す図である。
【図３２】図３２は、図３１に示すモニタ回路及び制御回路の機能的構成の一例を示す図である。
【図３３】図３３は、実施の形態にかかる光伝送装置の第１０の例を示す図である。
【図３４】図３４は、図３３に示すモニタ回路及び制御回路の機能的構成の一例を示す図である。
【図３５】図３５は、Ｍ×１ＷＳＳ２６にダミー光を入力させる送信側の構成の一例を示す図である。
【図３６】図３６は、実施の形態にかかる光伝送装置の第１１の例を示す図である。
【図３７】図３７は、図３６に示すモニタ回路及び制御回路の機能的構成の一例を示す図である。
【図３８】図３８は、実施の形態にかかる光伝送方法の第５の例を示す図である。
【発明を実施するための形態】
【００１０】
以下に添付図面を参照して、この光伝送装置及び光伝送方法の好適な実施の形態を詳細に説明する。以下の各実施例の説明においては、同様の構成要素には同一の符号を付して、重複する説明を省略する。
【００１１】
・光伝送装置の第１の例
図１は、実施の形態にかかる光伝送装置の第１の例を示す図である。図１に示すように、光伝送装置１は、合波部２、レベル制御部３、ダミー光出力部４、多重部５、光増幅部６、及び図示しない受信部を備える。受信部は、信号光を受信する。
【００１２】
ダミー光出力部４は、ダミー光を出力する。例えば、ダミー光出力部４は、信号光のうち光増幅部６に入力される光と同一波長の光を含むダミー光を出力してもよい。ダミー光出力部４は、受信した信号光の光レベルが所定レベルより低下した場合に、ダミー光を出力してもよい。
【００１３】
レベル制御部３は、ダミー光出力部４及び方路１入力端子８に接続されている。方路１入力端子８には、例えば図示しない受信部によって受信された方路１からの信号光が入力される。従って、レベル制御部３には、ダミー光出力部４から出力されたダミー光、及び方路１入力端子８に入力された方路１からの信号光が入力される。
【００１４】
レベル制御部３は、受信した信号光の光レベルとダミー光出力部４から出力されたダミー光の光レベルとの和が所定の目標値になるように、ダミー光の光レベルを制御する。例えば、レベル制御部３は、光伝送装置１が方路１からの信号光に障害ありと判定した場合に、障害と判定された方路１からの信号光の光レベルと、ダミー光出力部４から出力されたダミー光の光レベルとの和が所定の目標値になるように、ダミー光の光レベルを制御してもよい。所定の目標値は、方路１からの信号光に障害ありと判定される前、すなわち方路１からの信号光が正常であるときの光レベルであってもよい。
【００１５】
合波部２は、レベル制御部３及び方路１入力端子８に接続されている。合波部２は、受信した信号光とレベル制御部３によって光レベルが制御されたダミー光とを合波する。例えば、合波部２は、障害と判定された方路１からの信号光と、レベル制御部３によって光レベルが制御されたダミー光とを合波してもよい。
【００１６】
多重部５は、合波部２に接続されている。多重部５には、合波部２によって合波された光が入力される。また、多重部５には、方路２入力端子７に入力された方路２からの信号光が入力される。方路２からの信号光は、方路１からの信号光が伝送された方路とは異なる他方路から受信した光である。多重部５は、合波部２によって合波された光と方路２からの信号光とを多重する。
【００１７】
光増幅部６は、多重部５に接続されている。光増幅部６は、多重部５によって多重された多重光を増幅して出力端子９へ出力する。光伝送装置１に多重部５がない場合には、光増幅部６は、合波部２によって合波された光を増幅する。出力端子９は、例えば図示しない方路３の光伝送路に接続されていてもよい。光増幅部６から出力された多重光は、出力端子９から方路３へ送出される。方路１入力端子８及び方路２入力端子７は、それぞれの方路の信号光を伝送する図示しない光ファイバや光導波路などの光伝送路に接続されていてもよい。
【００１８】
・光伝送システムの一例
図２は、実施の形態にかかる光伝送システムの一例を示す図である。図２に示すように、光伝送システム１１は、例えば図１に示す複数の光伝送装置１、及び光伝送装置１間を接続する光伝送路１２を備える。光伝送装置１については、図１を参照しながら説明した通りであるため、重複する説明を省略する。光ファイバや光導波路は、光伝送路１２の一例である。なお、光伝送装置１は、図２に示すように、信号光を通過（ＴＨＲＵ、スルー）させるだけでなく、信号光の分岐（ＤＲＯＰ、ドロップ）や挿入（ＡＤＤ、アッド）を行えるようになっていてもよい。
【００１９】
・光伝送方法の第１の例
図３は、実施の形態にかかる光伝送方法の第１の例を示す図である。図３に示す光伝送方法は、例えば図１に示す光伝送装置１によって実施されてもよい。本実施例では、図１に示す光伝送装置１によって実施され、例えば光伝送装置１が、受信した信号光に障害があると判定するとダミー光を挿入する場合を例にして説明する。
【００２０】
図１に示す光伝送装置１において光伝送が開始されると、光伝送装置１は、方路１からの信号光の光レベルを取得する（ステップＳ１）。次いで、光伝送装置１は、取得した方路１からの信号光の光レベルに基づいて、方路１からの信号光に障害があるか否かを判定する（ステップＳ２）。
【００２１】
例えば、方路１からの信号光を伝送する光ファイバや光導波路などの光伝送路が切断されたり、光伝送路と光伝送装置との接続が外れたりして、方路１からの信号光の入力が遮断された場合、方路１からの信号光の光レベルが小さくなる。従って、光伝送装置１は、例えば方路１からの信号光の光レベルが予め設定された閾値よりも小さい場合に、方路１からの信号光に障害があると判定し、方路１からの信号光の光レベルが閾値よりも小さくない場合に、方路１からの信号光に障害がないと判定することができる。
【００２２】
光伝送装置１が方路１からの信号光に障害がないと判定した場合（ステップＳ２：Ｎｏ）、ステップＳ１に戻る。ダミー光出力部４は、光伝送装置１が方路１からの信号光に障害があるか否かを判定する前からダミー光を出力している。従って、光伝送装置１が方路１からの信号光に障害がないと判定した場合には、レベル制御部３は、ダミー光出力部４から出力されたダミー光のうち、方路１からの信号光と同一波長の光の光レベルを例えばゼロに減衰させる。それによって、方路１からの信号光に障害がない場合、合波部２には、方路１からの信号光と同一波長のダミー光は入力されない。
【００２３】
一方、光伝送装置１が方路１からの信号光に障害があると判定した場合（ステップＳ２：Ｙｅｓ）、レベル制御部３は、方路１からの信号光の光レベルと、ダミー光出力部４から出力されたダミー光の光レベルとの和を算出する（ステップＳ３）。そして、レベル制御部３は、ステップＳ３で算出した光レベルの和が所定の目標値に等しいか否かを判定する（ステップＳ４）。本実施例では、ステップＳ４の判定において、ステップＳ３で算出した光レベルの和が所定の目標値とほぼ等しい場合も、ステップＳ３で算出した光レベルの和が所定の目標値に等しい場合に含めるとする。
【００２４】
ステップＳ３で算出した光レベルの和が所定の目標値に等しくない場合（ステップＳ４：Ｎｏ）、レベル制御部３は、方路１からの信号光の光レベルとダミー光の光レベルとの和が所定の目標値になるように、ダミー光の光レベルを制御する（ステップＳ５）。そして、ステップＳ３に戻る。
【００２５】
方路１からの信号光と光レベルが制御されたダミー光とは、合波部２によって合波される。合波部２によって合波された光は、多重部５によって方路２からの信号光と多重されて光増幅部６に入力される。
【００２６】
一方、ステップＳ３で算出した光レベルの和が所定の目標値に等しい場合（ステップＳ４：Ｙｅｓ）、方路１からの信号光の代わりに、方路１からの信号光と同一波長のダミー光を挿入することが完了したため（ステップＳ６）、光伝送装置１は、一連の処理を終了する。
【００２７】
図１に示す光伝送装置１、図２に示す光伝送システム１１または図３に示す光伝送方法によれば、レベル制御部３が、方路１からの信号光の光レベルとダミー光出力部４から出力されているダミー光の光レベルとの和が所定の目標値になるように、ダミー光の光レベルを制御する。それによって、方路１からの信号光に障害が発生しても、方路１からの信号光の波長と同じ波長の光が、瞬断なく、光増幅部６に供給されるため、光増幅部６に一定のパワーの光が入力される。従って、光増幅部６の入力レベルの急変によって引き起こされる光サージの発生を防ぐことができるため、方路１からの光に多重される方路２からの信号光の劣化を防ぐことができる。
【００２８】
・光伝送装置の第２の例
図４は、実施の形態にかかる光伝送装置の第２の例を示す図である。図４に示すように、光伝送装置２１は、図示しない受信部、方路１〜方路ｋのそれぞれについてプリアンプ２２、１×ｎＳＰＬ（Ｓｐｌｉｔｔｅｒ）２３、第１のＰＤ（Ｐｈｏｔｏ  Ｄｅｔｅｃｔｏｒ、光検出器）２４及びＣＰＬ（Ｃｏｕｐｌｅｒ、カプラ）２５を有する。また、光伝送装置２１は、Ｍ×１ＷＳＳ（Ｗａｖｅｌｅｎｇｔｈ  Ｓｅｌｅｃｔｉｖｅ  Ｓｗｉｔｃｈ、波長選択スイッチ）２６及びポストアンプ２７を有する。ｋ、ｎ及びＭは、２以上の整数であり、光伝送システムによって決まる値である。
【００２９】
光伝送装置２１は、例えばＲＯＡＤＭ装置であってもよい。本実施例では、光伝送装置２１がＲＯＡＤＭ装置であるとして説明する。
【００３０】
各方路のプリアンプ２２は、それぞれの光伝送路を介して図示しない受信部に接続されている。受信部は、光ネットワークの他の光伝送装置に接続されていてもよい。本実施例では、光伝送路は、光ファイバや光導波路などであってもよい。プリアンプ２２は、各方路からの波長多重光を増幅し、光伝送装置間や光伝送装置２１内の損失を補償して受光感度を改善する。
【００３１】
各方路の１×ｎＳＰＬ２３は、それぞれの光伝送路を介してそれぞれの方路のプリアンプ２２に接続されている。１×ｎＳＰＬ２３は、プリアンプ２２から出力された波長多重光をｎ分岐し、そのうちの一つの光を各方路の主信号系の光伝送路へ出力し（スルー）、残りの光を図示しない受信器側または複数の異なる方路へ出力する（ドロップ）。
【００３２】
各方路の第１のＰＤ２４は、それぞれの主信号系の光伝送路を介してそれぞれの方路の１×ｎＳＰＬ２３に接続されている。第１のＰＤ２４は、１×ｎＳＰＬ２３から主信号系の光伝送路に出力された信号光の光レベルを検出し、検出した光レベルに応じた電気信号を出力する。図４において、「ＰＤ１−１」は、方路１に設けられた第１のＰＤ２４であり、「ＰＤｋ−１」は、方路ｋに設けられた第１のＰＤ２４である。
【００３３】
厳密には、各方路の１×ｎＳＰＬ２３から伸びる主信号系の光伝送路には、それぞれ図示省略する１×２ＳＰＬが接続されている。この１×２ＳＰＬにおいて、１×ｎＳＰＬ２３から主信号系の光伝送路に出力された信号光が２分岐され、一方の光がＣＰＬ２５へ出力され、他方の光が第１のＰＤ２４へ出力される。第１のＰＤ２４は、１×２ＳＰＬから出力された信号光の光レベルを検出する。
【００３４】
各方路のＣＰＬ２５は、それぞれの主信号系の光伝送路を介してそれぞれの方路の第１のＰＤ２４に接続されている。ＣＰＬ２５は、１×ｎＳＰＬ２３から主信号系の光伝送路に出力された信号光と、後述する高速ＶＯＡ（Ｖａｒｉａｂｌｅ  Ｏｐｔｉｃａｌ  Ａｔｔｅｎｕａｔｏｒ、可変光減衰器）３１から出力されたダミー光とを合波する。ＣＰＬ２５は、合波部２の一例である。
【００３５】
Ｍ×１ＷＳＳ２６は、それぞれの主信号系の光伝送路を介して各方路のＣＰＬ２５に接続されている。また、Ｍ×１ＷＳＳ２６は、図示省略する送信器に接続されており、Ｍ×１ＷＳＳ２６には送信器から光が挿入される（アッド）。Ｍ×１ＷＳＳ２６は、各方路及び送信器からのＭ系統の光のスルーまたはブロックを波長ごとに行い、各方路のＣＰＬ２５から主信号系の光伝送路に出力された光、及び送信器から挿入された光を合波した波長多重光を出力する。Ｍ×１ＷＳＳ２６は、多重部５の一例である。
【００３６】
各方路及び送信器のそれぞれからＭ×１ＷＳＳ２６に入力される光の波長数は、信号光とダミー光とを合わせて常に、光伝送システムごとに規定されている運用可能な最大波長数である。つまり、各方路及び送信器のそれぞれからＭ×１ＷＳＳ２６には、それぞれ信号光とダミー光とを合わせてシステムで運用可能な全波長の光が入力される。また、各方路及び送信器のそれぞれからＭ×１ＷＳＳ２６に入力される光の光レベルは、常に一定になるように制御されている。
【００３７】
ポストアンプ２７は、光伝送路を介してＭ×１ＷＳＳ２６に接続されている。ポストアンプ２７は、高出力及び高飽和出力特性を備えており、Ｍ×１ＷＳＳ２６から方路ｌの光伝送路に出力された波長多重光を遠距離まで伝送可能なように増幅する。ポストアンプ２７の制御方式としては、利得一定制御が用いられてもよい。なお、ポストアンプ２７は、出力パワー一定制御によって制御されてもよい。ポストアンプ２７は、光増幅部６の一例である。
【００３８】
また、光伝送装置２１は、モニタ回路２８、制御回路２９、第２のＰＤ３０、高速ＶＯＡ３１、１×ｋＳＰＬ３２、光フィルタ３３及びＡＳＥ（Ａｍｐｌｉｆｉｅｄ  Ｓｐｏｎｔａｎｅｏｕｓ  Ｅｍｉｓｓｉｏｎ、自然放出光）光源３４を有する。
【００３９】
図５は、図４に示すＡＳＥ光源の出力光の光スペクトルを示す図である。図５に示すように、ＡＳＥ光源３４は、光伝送システムで運用可能な全波長を含む波長帯域に亘って光スペクトルが連続する自然放出光を出力する。
【００４０】
光フィルタ３３は、光伝送路を介してＡＳＥ光源３４に接続されている。図６は、図４に示す光フィルタの出力光の光スペクトルを示す図である。図６に示すように、光フィルタ３３は、ＡＳＥ光源３４から出力された自然放出光から、各信号光の波長において信号光と同程度の光スペクトル幅を有するダミー光を生成する。光フィルタ３３は、例えばＭ×１ＷＳＳ２６と同様のフィルタ特性を有する。あるいは、Ｍ×１ＷＳＳ２６と同様のＷＳＳを光フィルタ３３として用いることもできる。ＡＳＥ光源３４及び光フィルタ３３は、ダミー光出力部４の一例である。
【００４１】
１×ｋＳＰＬ３２は、光伝送路を介して光フィルタ３３に接続されている。１×ｋＳＰＬ３２は、光フィルタ３３から出力されたダミー光をｋ分岐して方路１〜方路ｋのそれぞれに向けて出力する。
【００４２】
高速ＶＯＡ３１は、方路１〜方路ｋのそれぞれに対して設けられており、それぞれ光伝送路を介して１×ｋＳＰＬ３２に接続されている。また、各高速ＶＯＡ３１は、電気配線を介して制御回路２９に接続されている。高速ＶＯＡ３１は、制御回路２９からの制御信号に基づいて、１×ｋＳＰＬ３２からのダミー光の光レベルを制御する。
【００４３】
信号光の光レベルが異常であると判定された場合には、高速ＶＯＡ３１は、異常であると判定された方路に対して、異常と判定された信号光の光レベルとダミー光の光レベルとの和、すなわちＣＰＬ２５から出力される光の光レベルが所定の目標値になるように、ダミー光の光レベルを制御する。
【００４４】
所定の目標値は、信号光の光レベルが異常であると判定される前、すなわち異常と判定された方路の主信号系の光伝送路に正常な信号光が入力されていたときにＣＰＬ２５から出力されていた光の光レベルであってもよい。所定の目標値は、各第１のＰＤ２４及び各第２のＰＤ３０のモニタ精度、並びに信号光パワーのゆらぎを考慮して予め設定される。高速ＶＯＡ３１は、レベル制御部３の一例である。
【００４５】
第２のＰＤ３０は、方路１〜方路ｋのそれぞれに対して設けられており、それぞれ光伝送路を介して対応する高速ＶＯＡ３１に接続されている。第２のＰＤ３０は、高速ＶＯＡ３１から出力されたダミー光の光レベルを検出し、検出した光レベルに応じた電気信号を出力する。図４において、「ＰＤ１−２」は、方路１に対応する第２のＰＤ３０であり、「ＰＤｋ−２」は、方路ｋに対応する第２のＰＤ３０である。
【００４６】
厳密には、各方路に対応する高速ＶＯＡ３１から伸びる光伝送路には、それぞれ図示省略する１×２ＳＰＬが接続されている。この１×２ＳＰＬにおいて、第２のＰＤ３０から光伝送路に出力された信号光が２分岐され、一方の光がＣＰＬ２５へ出力され、他方の光が第２のＰＤ３０へ出力される。第２のＰＤ３０は、１×２ＳＰＬから出力されたダミー光の光レベルを検出する。
【００４７】
モニタ回路２８は、電気配線を介して各第１のＰＤ２４及び各第２のＰＤ３０に接続されている。モニタ回路２８は、各第１のＰＤ２４から各方路の信号光の光レベルを収集する。また、モニタ回路２８は、各第２のＰＤ３０から各方路に対応するダミー光の光レベルを収集する。モニタ回路２８は、収集した結果に対して、例えばＣＰＬ２５での損失や各第１のＰＤ２４及び各第２のＰＤ３０における図示省略する１×２ＳＰＬでの損失を考慮して補正を行い、補正した結果を制御回路２９へ出力する。
【００４８】
ＣＰＬ２５での損失や１×２ＳＰＬでの損失は、予め取得されており、例えばモニタ回路２８または制御回路２９に保持されていてもよい。モニタ回路２８は、第１のＰＤ２４から収集した信号光の光レベル、第２のＰＤ３０から収集したダミー光の光レベル、ＣＰＬ２５での損失及び図示省略する１×２ＳＰＬでの損失に基づいて、各ＣＰＬ２５から出力される光の光レベルを算出することができる。
【００４９】
制御回路２９は、電気配線を介してモニタ回路２８に接続されている。制御回路２９は、モニタ回路２８から、各第１のＰＤ２４によって検出された各方路の信号光の光レベルを受け取り、各方路の信号光の光レベルに基づいて、各方路からの信号光に障害があるか否かを判定する。制御回路２９は、信号光に障害ありと判定すると、障害ありと判定した方路に対応する高速ＶＯＡ３１に対して、信号光の光レベルとダミー光の光レベルとの和が所定の目標値になるように、ダミー光の光レベルを制御する制御信号を出力する。
【００５０】
図７は、図４に示すモニタ回路及び制御回路のハードウェア構成の一例を示す図である。図７に示すように、モニタ回路２８及び制御回路２９は、例えばＣＰＵ（Ｃｅｎｔｒａｌ  Ｐｒｏｃｅｓｓｉｎｇ  Ｕｎｉｔ、中央処理装置）４１、メモリ４２及びＩ／Ｏ４３がバス４４に接続された構成を有していてもよい。
【００５１】
ＣＰＵ４１は、メモリ４２からブートプログラムやアプリケーションプログラムを読み出して実行する。メモリ４２は、ブートプログラムやアプリケーションプログラムを記憶している。また、メモリ４２は、ＣＰＵ４１の作業領域として用いられる。Ｉ／Ｏ４３は、第１のＰＤ２４、第２のＰＤ３０及び高速ＶＯＡ３１に接続され、第１のＰＤ２４及び第２のＰＤ３０からの信号の入力、並びに高速ＶＯＡ３１への信号の出力を司る。
【００５２】
図８は、図４に示すモニタ回路及び制御回路の機能的構成の一例を示す図である。図８に示すように、モニタ回路２８は、例えばモニタ結果収集・補正部５１及びデータベース部５２を有していてもよい。データベース部５２は、例えばＣＰＬ２５での損失や各第１のＰＤ２４及び各第２のＰＤ３０における１×２ＳＰＬでの損失のデータを有する。データベース部５２は、各方路の信号光およびダミー光の波長のデータを有していてもよい。
【００５３】
モニタ結果収集・補正部５１は、各第１のＰＤ２４から各方路の信号光の光レベルを収集し、各第２のＰＤ３０から各方路に対応するダミー光の光レベルを収集する。モニタ結果収集・補正部５１は、データベース部５２から、例えばＣＰＬ２５での損失や各第１のＰＤ２４及び各第２のＰＤ３０における１×２ＳＰＬでの損失のデータを取得する。モニタ結果収集・補正部５１は、データベース部５２から取得した損失のデータを用いて、第１のＰＤ２４及び第２のＰＤ３０から収集した信号光及びダミー光の光レベルを補正する。
【００５４】
制御回路２９は、入力断判定部５３、モニタ結果差分比較部５４、ＶＯＡ設定値計算部５５及びＶＯＡ駆動部５６を有していてもよい。入力断判定部５３は、モニタ結果収集・補正部５１から、各第１のＰＤ２４によって検出された各方路の信号光の光レベルを受け取り、各方路の信号光の光レベルに基づいて、各方路からの信号光に障害があるか否か、つまり信号光の入力断があるか否かを判定する。例えば、入力断判定部５３は、各方路の信号光の光レベルを、予め設定されている閾値と比較し、信号光の光レベルが閾値よりも小さい方路に対して、信号光の入力断があると判定してもよい。
【００５５】
モニタ結果差分比較部５４は、モニタ結果収集・補正部５１から各方路の信号光の光レベル及び各方路に対応するダミー光の光レベルを受け取り、入力断判定部５３によって信号光に障害ありと判定された方路について、信号光の光レベルとダミー光の光レベルとの和を算出する。モニタ結果差分比較部５４は、算出した信号光の光レベルとダミー光の光レベルとの和と、所定の目標値との差分を算出する。データベース部５２は、所定の目標値を有していてもよい。
【００５６】
ＶＯＡ設定値計算部５５は、モニタ結果差分比較部５４から、信号光の光レベルとダミー光の光レベルとの和と、所定の目標値との差分を受け取り、その差分に基づいて、入力断判定部５３によって信号光に障害ありと判定された方路に対応する高速ＶＯＡ３１の減衰量を算出する。例えば、ＶＯＡ設定値計算部５５は、モニタ結果差分比較部５４によって算出された差分がゼロになるように、高速ＶＯＡ３１の減衰量を算出する。
【００５７】
ＶＯＡ駆動部５６は、ＶＯＡ設定値計算部５５から、入力断判定部５３によって信号光に障害ありと判定された方路に対応する高速ＶＯＡ３１の減衰量を受け取り、その減衰量に基づいて、障害ありと判定された方路に対応する高速ＶＯＡ３１に、その高速ＶＯＡ３１を駆動する制御信号を出力する。
【００５８】
モニタ結果収集・補正部５１、入力断判定部５３、モニタ結果差分比較部５４、ＶＯＡ設定値計算部５５及びＶＯＡ駆動部５６は、ＣＰＵ４１が、後述する光伝送方法を実現するプログラムを実行することによって実現されてもよい。あるいは、モニタ結果収集・補正部５１、入力断判定部５３、モニタ結果差分比較部５４、ＶＯＡ設定値計算部５５及びＶＯＡ駆動部５６は、ハードウェアによって実現されてもよい。例えば、ＣＰＵ４１の代わりに、ＤＳＰ（Ｄｉｇｉｔａｌ  Ｓｉｇｎａｌ  Ｐｒｏｃｅｓｓｏｒ、デジタルシグナルプロセッサ）やＦＰＧＡ（Ｆｉｅｌｄ  Ｐｒｏｇｒａｍｍａｂｌｅ  Ｇａｔｅ  Ａｒｒａｙ、フィールドプログラマブルゲートアレイ）を用いてもよい。データベース部５２は、メモリ４２によって実現されてもよい。
【００５９】
・光伝送方法の第２の例
図９は、実施の形態にかかる光伝送方法の第２の例を示す図である。図９に示す光伝送方法は、例えば図４に示す光伝送装置によって実施されてもよい。本実施例では、図４に示す光伝送装置によって実施されるとして説明する。
【００６０】
図４に示す光伝送装置２１において光伝送が開始されると、光伝送装置２１は、各第１のＰＤ２４による信号光の光レベル、及び各第２のＰＤ３０によるダミー光の光レベルのモニタを開始する（ステップＳ１１）。そして、モニタ結果収集・補正部５１は、各第１のＰＤ２４から各方路の信号光の光レベル、すなわちＰＤ１−１〜ＰＤｋ−１の各出力パワーＰ（ＰＤ１−１）〜Ｐ（ＰＤｋ−１）を取得する（ステップＳ１２）。
【００６１】
次いで、入力断判定部５３は、ＰＤ１−１〜ＰＤｋ−１の各出力パワーＰ（ＰＤ１−１）〜Ｐ（ＰＤｋ−１）が、予め設定された閾値以上であるか否かを判定する（ステップＳ１３）。データベース部５２は、閾値を有していてもよい。各出力パワーＰ（ＰＤ１−１）〜Ｐ（ＰＤｋ−１）が閾値以上である場合（ステップＳ１３：Ｙｅｓ）、ステップＳ１２に戻る。
【００６２】
いずれかの出力パワーＰ（ＰＤ１−１）〜Ｐ（ＰＤｋ−１）が閾値以上でない場合（ステップＳ１３：Ｎｏ）、ステップＳ１４へ進む。本実施例では、例えば方路ｉのＰＤｉ−１の出力パワーＰ（ＰＤｉ−１）が閾値以上でないとして説明する。ｉは、１以上ｋ以下の整数である。
【００６３】
ステップＳ１４では、モニタ結果収集・補正部５１は、方路ｉに対応する第２のＰＤ３０から方路ｉに対応するダミー光の光レベル、すなわちＰＤｉ−２の出力パワーＰ（ＰＤｉ−２）を取得する。また、モニタ結果収集・補正部５１は、データベース部５２から取得した損失のデータを用いて、ＰＤｉ−２の出力パワーＰ（ＰＤｉ−２）を補正する。そして、モニタ結果差分比較部５４は、ＰＤｉ−１の出力パワーＰ（ＰＤｉ−１）と補正済みのＰＤｉ−２の出力パワーＰ（ＰＤｉ−２）との合計値Ｐ（ＰＤｉ−１＋ＰＤｉ−２）を算出する（ステップＳ１４）。
【００６４】
次いで、モニタ結果差分比較部５４は、ステップＳ１４で算出した合計値Ｐ（ＰＤｉ−１＋ＰＤｉ−２）と所定の目標値、すなわちターゲットパワーＰ（Ｔ）との差分を算出する（ステップＳ１５）。次いで、ＶＯＡ設定値計算部５５は、ステップＳ１５で算出された差分に基づいて、方路ｉに対応する高速ＶＯＡ３１の減衰量を算出する。そして、ＶＯＡ駆動部５６は、ＶＯＡ設定値計算部５５によって算出された減衰量に基づいて、方路ｉに対応する高速ＶＯＡ３１に制御信号を出力し、その高速ＶＯＡ３１の減衰量（ＡＴＴ量）を設定する（ステップＳ１６）。
【００６５】
次いで、モニタ結果収集・補正部５１は、再びＰＤｉ−１の出力パワーＰ（ＰＤｉ−１）と補正済みのＰＤｉ−２の出力パワーＰ（ＰＤｉ−２）との合計値Ｐ（ＰＤｉ−１＋ＰＤｉ−２）を算出する（ステップＳ１７）。そして、モニタ結果差分比較部５４は、ステップＳ１７で算出した合計値Ｐ（ＰＤｉ−１＋ＰＤｉ−２）がターゲットパワーＰ（Ｔ）レベルに相当するレベルであるか否かを判定する（ステップＳ１８）。
【００６６】
ステップＳ１７で算出した合計値Ｐ（ＰＤｉ−１＋ＰＤｉ−２）がターゲットパワーＰ（Ｔ）レベルに相当するレベルでない場合（ステップＳ１８：Ｎｏ）、ステップＳ１４に戻る。一方、ステップＳ１７で算出した合計値Ｐ（ＰＤｉ−１＋ＰＤｉ−２）がターゲットパワーＰ（Ｔ）レベルに相当するレベルである場合（ステップＳ１８：Ｙｅｓ）、方路ｉからの信号光の代わりに、方路ｉからの信号光と同一波長のダミー光を挿入することが完了したため（ステップＳ１９）、光伝送装置２１は、一連の処理を終了する。本実施例では、ステップＳ１８の判定において、ステップＳ１７で算出した合計値Ｐ（ＰＤｉ−１＋ＰＤｉ−２）がターゲットパワーＰ（Ｔ）とほぼ等しければ、合計値Ｐ（ＰＤｉ−１＋ＰＤｉ−２）がターゲットパワーＰ（Ｔ）レベルに相当するレベルであるとする。
【００６７】
・波長配置の第１の例
図１０は、図４に示す光伝送装置の正常時の波長配置例を示す図である。図１１は、図４に示す光伝送装置の障害時の波長配置例を示す図である。本実施例では、説明の簡略化のため、方路１からの光と方路２からの光とをＭ×１ＷＳＳ２６で多重して方路３へ出力する場合を例にして説明する。
【００６８】
図１０に示すように、正常時には、方路１からＭ×１ＷＳＳ２６に、方路１の信号光と、方路２の信号光の波長と同じ波長のダミー光とが入力される。また、正常時には、方路２からＭ×１ＷＳＳ２６に、方路２の信号光と、方路１の信号光の波長と同じ波長のダミー光とが入力される。そして、正常時には、Ｍ×１ＷＳＳ２６において、方路１から入力された方路１のダミー光と、方路２から入力された方路２のダミー光とがブロックされて、Ｍ×１ＷＳＳ２６から方路３に、方路１の信号光と方路２の信号光とが出力される。
【００６９】
図１１に示すように、方路２で起こった障害によって方路２から信号光が入力されなくなると、方路２に、方路２の信号光の波長と同じ波長のダミー光が挿入される。それによって、方路２からＭ×１ＷＳＳ２６に、方路２の信号光の波長と同じ波長のダミー光と、方路１の信号光の波長と同じ波長のダミー光とが入力される。また、方路１については正常時と同様に、Ｍ×１ＷＳＳ２６に、方路１の信号光と、方路２の信号光の波長と同じ波長のダミー光とが入力される。そして、方路２の障害時には、Ｍ×１ＷＳＳ２６において、方路１から入力された方路１のダミー光と、方路２から入力された、方路１の信号光の波長と同じ波長のダミー光とがブロックされて、Ｍ×１ＷＳＳ２６から方路３に、方路１の信号光と、方路２の信号光の波長と同じ波長のダミー光とが出力される。
【００７０】
・障害時のポストアンプ入力パワーの変化の一例
図１２は、図４に示す光伝送装置における障害時のポストアンプ入力パワーの変化を示す図である。図１２に示すように、ある方路で起こった障害によってその方路から信号光が入力されなくなると、その障害の起こった方路からの信号光のパワーが下がって来る。そして、信号光のパワーが閾値に達すると、その入力されなくなった信号光の代わりに、ダミー光の挿入が開始される。ダミー光の挿入後は、下がっていく信号光のパワーと上がっていくダミー光のパワーとが、例えば障害が起こる前のパワーになるように、ダミー光のパワーが制御される。それによって、障害発生後、直ちに、信号光のパワーとダミー光のパワーとの和が、例えば障害が起こる前のパワーに戻る。
【００７１】
一般に、入力断の発生から信号光のパワーがゼロになるまでには、例えば百μ秒〜数ｍ秒程度の時間がかかる。それに対して、制御回路２９が高速ＶＯＡ３１に、高速ＶＯＡ３１を駆動する制御信号を出力してから高速ＶＯＡ３１がダミー光を出力するまでにかかる時間は、例えば数ｎ秒〜数μ秒程度である。つまり、信号光のパワーが著しく小さくなる前にダミー光の挿入が開始される。
【００７２】
図４に示す光伝送装置２１または図９に示す光伝送方法によれば、障害の発生した方路からの信号光の光レベルと、高速ＶＯＡ３１から出力されるダミー光の光レベルとの和が所定の目標値になるように、制御回路２９及び高速ＶＯＡ３１がダミー光の光レベルを制御する。それによって、信号光が入力断となっても、入力断となった信号光の波長と同じ波長のダミー光が、瞬断なく、ポストアンプ２７に供給されるため、ポストアンプ２７に一定のパワーの光が入力される。また、各方路からＭ×１ＷＳＳ２６にそれぞれシステムで運用可能な全波長の光が入力され、その入力される光の光レベルが常に一定になるように制御されるため、ポストアンプ２７に一定のパワーの光が入力される。従って、ポストアンプ２７の入力レベルの急変によって引き起こされる光サージの発生を防ぐことができるため、障害の発生した方路からの光に多重される他の方路からの信号光の劣化を防ぐことができる。
【００７３】
また、ポストアンプ２７の利得波長特性にバラツキがある場合、障害等によりポストアンプ２７への入力波長数が変化すると、障害等の発生前後で残留信号の利得、すなわち出力パワーが変化してしまうことがある。それに対して、図４に示す光伝送装置２１によれば、常にシステムで運用可能な全波長の光がポストアンプ２７に入力されるため、障害等の発生前後で出力パワーが変化するのを防ぐことができる。
【００７４】
また、図４に示す光伝送装置２１によれば、高速ＶＯＡ３１を用いることによって、障害発生後、障害発生により入力断となった信号光の波長と同じ波長のダミー光を、瞬断なく、ポストアンプ２７に入力させることができる。
【００７５】
・光伝送装置の第３の例
図１３は、実施の形態にかかる光伝送装置の第３の例を示す図である。図１３に示すように、光伝送装置２１は、光フィルタ３３のない構成であってもよい。
【００７６】
図１４は、図１３に示すＭ×１ＷＳＳの透過特性を示す図である。ＡＳＥ光源３４から出力された自然放出光は、全信号波長帯域に亘って光スペクトルが連続する光である（図５参照）。図１４に示す透過特性を有するＭ×１ＷＳＳ２６によって信号光の波長間付近が遮断帯域となるため、Ｍ×１ＷＳＳ２６において、自然放出光から、各信号光の波長において信号光と同程度の光スペクトル幅を有する光が生成される。
【００７７】
図１５は、信号光のみの場合のＷＳＳへの入力光及びＷＳＳの出力光の光スペクトルを示す図である。図１６は、ダミー光を追加した場合のＷＳＳへの入力光及びＷＳＳの出力光の光スペクトルを示す図である。Ｍ×１ＷＳＳ２６のフィルタ特性によって信号光の波長間付近が遮断帯域となるため、ＡＳＥ光源３４から出力されたダミー光の一部が遮断される。そのため、図１５及び図１６に示すように、ＣＰＬ２５から出力される信号光とダミー光との合計パワーを所定のパワーに設定しても、Ｍ×１ＷＳＳ２６を透過した後の光のパワーが所定のパワーよりも小さくなる場合がある。
【００７８】
ＷＳＳ透過後の光のパワーが所定のパワーよりも小さくなる場合には、Ｍ×１ＷＳＳ２６の透過特性を予め取得しておき、ＷＳＳによるダミー光の減少分を補償するように、ダミー光のパワーを調整すればよい。例えば、Ｍ×１ＷＳＳ２６の遮断帯域によるパワー減少の補正係数をＫとする。Ｋは０よりも大きく、１よりも小さい値である。この場合、制御回路２９において、ＰＤｉ−２の出力パワーＰ（ＰＤｉ−２）にＫを乗じた値とＰＤｉ−１の出力パワーＰ（ＰＤｉ−１）との合計値を算出し、この合計値とターゲットパワーＰ（Ｔ）との差分に基づいて、高速ＶＯＡ３１の減衰量を設定すればよい。
【００７９】
その他の構成は、図４に示す光伝送装置の第２の例と同様である。従って、重複する説明を省略する。
【００８０】
図１３に示す光伝送装置２１によれば、図４に示す光伝送装置の第２の例と同様に、信号光が入力断となっても、ポストアンプ２７に一定のパワーの光が入力されるため、光サージの発生を防ぎ、障害の発生した方路からの光に多重される他の方路からの信号光の劣化を防ぐことができる。また、光フィルタ３３がないため、部品点数の削減によるコストダウン及び組み立て工数の削減によるコストダウンを図ることができる。
【００８１】
・光伝送装置の第４の例
図１７は、実施の形態にかかる光伝送装置の第４の例を示す図である。図１７に示すように、光伝送装置２１は、方路１〜方路ｋのそれぞれにおいて、第１のＰＤ２４及び第２のＰＤ３０をなくし、その代わりにＣＰＬ２５の出力側にＰＤ３５を設けた構成であってもよい。ＰＤ３５は、ＣＰＬ２５から出力された光の光レベルを検出し、検出した光レベルに応じた電気信号を出力する。ＣＰＬ２５は、信号光とダミー光とを合波した光を出力する。図１７において、「ＰＤ１」は、方路１に設けられたＰＤ３５であり、「ＰＤｋ」は、方路ｋに設けられたＰＤ３５である。
【００８２】
厳密には、各方路のＣＰＬ２５から伸びる主信号系の光伝送路には、それぞれ図示省略する１×２ＳＰＬが接続されている。この１×２ＳＰＬにおいて、ＣＰＬ２５から主信号系の光伝送路に出力された光が２分岐され、一方の光がＭ×１ＷＳＳ２６へ出力され、他方の光がＰＤ３５へ出力される。ＰＤ３５は、１×２ＳＰＬから出力された光の光レベルを検出する。
【００８３】
モニタ回路２８は、電気配線を介して各ＰＤ３５に接続されている。モニタ回路２８は、各ＰＤ３５から、各方路の信号光とダミー光とが合波された光の光レベルを収集する。モニタ回路２８は、収集した結果に対して、例えばＣＰＬ２５での損失や各ＰＤ３５における図示省略する１×２ＳＰＬでの損失を考慮して補正を行い、補正した結果を制御回路２９へ出力する。各ＰＤ３５における図示省略する１×２ＳＰＬでの損失のデータは、予め取得されており、例えばデータベース部５２に保持されていてもよい。
【００８４】
制御回路２９は、モニタ回路２８から、各ＰＤ３５によって検出された、各方路の信号光とダミー光とが合波された光の光レベルを受け取り、各方路の光の光レベルに基づいて、各方路からの信号光に障害があるか否かを判定する。制御回路２９は、信号光に障害ありと判定すると、障害ありと判定した方路に対応する高速ＶＯＡ３１に対して、信号光とダミー光とが合波された光の光レベルが所定の目標値になるように、ダミー光の光レベルを制御する制御信号を出力する。
【００８５】
その他の構成は、図４に示す光伝送装置の第２の例と同様である。従って、重複する説明を省略する。なお、図１３に示す光伝送装置の第３の例と同様に、光フィルタ３３をなくしてもよい。また、各方路のＰＤ３５をＣＰＬ２５の入力側に設けてもよい。
【００８６】
図１７に示す光伝送装置２１によれば、障害の発生した方路からの信号光と、高速ＶＯＡ３１から出力されるダミー光とがＣＰＬ２５によって合波された光の光レベルが所定の目標値になるように、制御回路２９及び高速ＶＯＡ３１がダミー光の光レベルを制御する。それによって、図４に示す光伝送装置の第２の例と同様に、信号光が入力断となっても、ポストアンプ２７に一定のパワーの光が入力されるため、光サージの発生を防ぎ、障害の発生した方路からの光に多重される他の方路からの信号光の劣化を防ぐことができる。
【００８７】
・光伝送装置の第５の例
図１８は、実施の形態にかかる光伝送装置の第５の例を示す図である。図１８に示すように、光伝送装置２１は、図１７に示す光伝送装置２１において、Ｍ×１ＷＳＳ２６の出力側にＰＤ３６を設けた構成であってもよい。ＰＤ３６は、Ｍ×１ＷＳＳ２６から出力された光の光レベルを検出し、検出した光レベルに応じた電気信号を出力する。図１８において、「ＰＤｘ」は、Ｍ×１ＷＳＳ２６の出力側に設けられたＰＤ３６である。
【００８８】
厳密には、Ｍ×１ＷＳＳ２６から伸びる光伝送路には、図示省略する１×２ＳＰＬが接続されている。この１×２ＳＰＬにおいて、Ｍ×１ＷＳＳ２６から光伝送路に出力された光が２分岐され、一方の光がポストアンプ２７へ出力され、他方の光がＰＤ３６へ出力される。ＰＤ３６は、１×２ＳＰＬから出力された光の光レベルを検出する。
【００８９】
モニタ回路２８は、電気配線を介して各ＰＤ３５及びＰＤ３６に接続されている。モニタ回路２８は、各ＰＤ３５から、各方路の信号光とダミー光とが合波された光の光レベルを収集し、ＰＤ３６から、Ｍ×１ＷＳＳ２６から出力された光の光レベルを収集する。モニタ回路２８は、収集した結果に対して、例えばＣＰＬ２５での損失や各ＰＤ３５及びＰＤ３６における図示省略する１×２ＳＰＬでの損失を考慮して補正を行い、補正した結果を制御回路２９へ出力する。ＰＤ３６における図示省略する１×２ＳＰＬでの損失のデータは、予め取得されており、例えばデータベース部５２に保持されていてもよい。
【００９０】
制御回路２９は、モニタ回路２８から、各ＰＤ３５によって検出された、各方路の信号光とダミー光とが合波された光の光レベルを受け取り、各方路の光の光レベルに基づいて、各方路からの信号光に障害があるか否かを判定する。制御回路２９は、信号光に障害ありと判定すると、障害ありと判定した方路に対応する高速ＶＯＡ３１に対して、ＰＤ３６によって検出された、Ｍ×１ＷＳＳ２６から出力された光の光レベルが所定の目標値になるように、ダミー光の光レベルを制御する制御信号を出力する。
【００９１】
その他の構成は、図１７に示す光伝送装置の第４の例と同様である。従って、重複する説明を省略する。なお、図１３に示す光伝送装置の第３の例と同様に、光フィルタ３３をなくしてもよい。また、各方路のＰＤ３５をＣＰＬ２５の入力側に設けてもよい。また、各方路のＰＤ３５の代わりに、図４に示す光伝送装置の第２の例と同様に、信号光の光レベルを検出する第１のＰＤ２４と、ダミー光の光レベルを検出する第２のＰＤ３０とを設けてもよい。
【００９２】
図１８に示す光伝送装置２１によれば、ポストアンプ２７へ入力される光の光レベルが所定の目標値になるように、制御回路２９及び高速ＶＯＡ３１がダミー光の光レベルを制御する。それによって、図４に示す光伝送装置の第２の例と同様に、信号光が入力断となっても、ポストアンプ２７に一定のパワーの光が入力されるため、光サージの発生を防ぎ、障害の発生した方路からの光に多重される他の方路からの信号光の劣化を防ぐことができる。
【００９３】
・光伝送装置の第６の例
図１９は、実施の形態にかかる光伝送装置の第６の例を示す図である。図１９に示すように、光伝送装置２１は、図１８に示す光伝送装置２１において、モニタ回路２８及び制御回路２９とは別に、ＰＤ３６の出力に対して第２のモニタ回路３７及び第２の制御回路３８を設けた構成であってもよい。
【００９４】
モニタ回路２８は、電気配線を介して各ＰＤ３５に接続されている。モニタ回路２８は、各ＰＤ３５から、各方路の信号光とダミー光とが合波された光の光レベルを収集する。モニタ回路２８は、収集した結果に対して、例えばＣＰＬ２５での損失や各ＰＤ３５における図示省略する１×２ＳＰＬでの損失を考慮して補正を行い、補正した結果を制御回路２９へ出力する。
【００９５】
制御回路２９は、モニタ回路２８から、各ＰＤ３５によって検出された、各方路の信号光とダミー光とが合波された光の光レベルを受け取り、各方路の光の光レベルに基づいて、各方路からの信号光に障害があるか否かを判定する。制御回路２９は、信号光に障害ありと判定すると、障害ありと判定した方路に対応する高速ＶＯＡ３１に対して、ＰＤ３５によって検出された、信号光とダミー光とが合波された光の光レベルが所定の目標値になるように、ダミー光の光レベルを制御する制御信号を出力する。また、制御回路２９は、障害ありと判定した方路の情報を第２の制御回路３８へ通知する。
【００９６】
第２のモニタ回路３７は、電気配線を介してＰＤ３６に接続されている。第２のモニタ回路３７は、ＰＤ３６から、Ｍ×１ＷＳＳ２６から出力された光の光レベルを収集する。第２のモニタ回路３７は、収集した結果に対して、例えばＰＤ３６における図示省略する１×２ＳＰＬでの損失を考慮して補正を行い、補正した結果を第２の制御回路３８へ出力する。
【００９７】
第２の制御回路３８は、電気配線を介して制御回路２９、第２のモニタ回路３７及びＭ×１ＷＳＳ２６に接続されている。第２の制御回路３８は、制御回路２９から障害ありと判定された方路の情報を受け取り、障害ありと判定された方路の信号光と、他の方路で伝送されている、障害ありと判定された方路の信号光の波長と同じ波長のダミー光とを選択する制御信号をＭ×１ＷＳＳ２６へ出力する。それによって、Ｍ×１ＷＳＳ２６において、障害ありと判定された方路の信号光と、他の方路で伝送されている、障害ありと判定された方路の信号光の波長と同じ波長のダミー光とが選択される。
【００９８】
また、第２の制御回路３８は、第２のモニタ回路３７から、ＰＤ３６によって検出された、Ｍ×１ＷＳＳ２６から出力された光の光レベルを受け取る。第２の制御回路３８は、第２のモニタ回路３７から受け取った光レベルに基づいて、Ｍ×１ＷＳＳ２６から出力された光の光レベルが所定の目標値になるように、障害ありと判定された方路とは異なる方路に挿入されたダミー光をスルーするＭ×１ＷＳＳ２６の減衰量を制御する。それによって、Ｍ×１ＷＳＳ２６から出力された光の光レベルが所定の目標値になるように制御される。Ｍ×１ＷＳＳ２６は、レベル制御部３の一例である。
【００９９】
図２０は、図１９に示すモニタ回路及び制御回路の機能的構成の一例を示す図である。図２０に示すように、モニタ回路２８は、例えばモニタ結果収集・補正部５１及びデータベース部５２を有していてもよい。データベース部５２は、例えばＣＰＬ２５での損失や各ＰＤ３５における１×２ＳＰＬでの損失のデータを有する。データベース部５２は、各方路の信号光およびダミー光の波長のデータを有していてもよい。
【０１００】
モニタ結果収集・補正部５１は、各ＰＤ３５から、各方路の信号光とダミー光とが合波された光の光レベルを収集する。モニタ結果収集・補正部５１は、データベース部５２から、例えばＣＰＬ２５での損失や各ＰＤ３５における１×２ＳＰＬでの損失のデータを取得する。モニタ結果収集・補正部５１は、データベース部５２から取得した損失のデータを用いて、ＰＤ３５から収集した、信号光とダミー光とが合波された光の光レベルを補正する。
【０１０１】
制御回路２９は、入力断判定部５３、モニタ結果差分比較部５４、ＶＯＡ設定値計算部５５及びＶＯＡ駆動部５６を有していてもよい。入力断判定部５３は、モニタ結果収集・補正部５１から、各ＰＤ３５によって検出された、信号光とダミー光とが合波された光の光レベルを受け取り、受け取った光レベルに基づいて各方路からの信号光に障害があるか否か、つまり信号光の入力断があるか否かを判定する。
【０１０２】
例えば、入力断判定部５３は、各ＰＤ３５によって検出された光の光レベルを、予め設定されている閾値と比較し、ＰＤ３５によって検出された光の光レベルが閾値よりも小さい方路に対して、信号光の入力断があると判定してもよい。入力断判定部５３は、障害ありと判定した方路の情報を第２の制御回路３８へ通知する。
【０１０３】
モニタ結果差分比較部５４は、モニタ結果収集・補正部５１から、各ＰＤ３５によって検出された光の光レベルを受け取り、入力断判定部５３によって信号光に障害ありと判定された方路について、ＰＤ３５によって検出された光の光レベルと、所定の目標値との差分を算出する。データベース部５２は、所定の目標値を有していてもよい。
【０１０４】
ＶＯＡ設定値計算部５５は、モニタ結果差分比較部５４から、ＰＤ３５によって検出された光の光レベルと、所定の目標値との差分を受け取り、その差分に基づいて、入力断判定部５３によって信号光に障害ありと判定された方路に対応する高速ＶＯＡ３１の減衰量を算出する。例えば、ＶＯＡ設定値計算部５５は、モニタ結果差分比較部５４によって算出された差分がゼロになるように、高速ＶＯＡ３１の減衰量を算出する。
【０１０５】
ＶＯＡ駆動部５６は、ＶＯＡ設定値計算部５５から、入力断判定部５３によって信号光に障害ありと判定された方路に対応する高速ＶＯＡ３１の減衰量を受け取り、その減衰量に基づいて、障害ありと判定された方路に対応する高速ＶＯＡ３１に、その高速ＶＯＡ３１を駆動する制御信号を出力する。
【０１０６】
モニタ結果収集・補正部５１、入力断判定部５３、モニタ結果差分比較部５４、ＶＯＡ設定値計算部５５及びＶＯＡ駆動部５６は、例えば図７に示すハードウェアにおいて、ＣＰＵ４１が、後述する光伝送方法を実現するプログラムを実行することによって実現されてもよい。あるいは、モニタ結果収集・補正部５１、入力断判定部５３、モニタ結果差分比較部５４、ＶＯＡ設定値計算部５５及びＶＯＡ駆動部５６は、ハードウェアによって実現されてもよい。データベース部５２は、メモリ４２によって実現されてもよい。
【０１０７】
第２のモニタ回路３７は、例えばモニタ結果収集・補正部６１及びデータベース部６２を有していてもよい。データベース部６２は、例えばＰＤ３６における１×２ＳＰＬでの損失のデータを有する。データベース部６２は、各方路の信号光およびダミー光の波長のデータを有していてもよい。
【０１０８】
モニタ結果収集・補正部６１は、ＰＤ３６から、Ｍ×１ＷＳＳ２６から出力された光の光レベルを収集する。モニタ結果収集・補正部６１は、データベース部６２から、例えばＰＤ３６における１×２ＳＰＬでの損失のデータを取得する。モニタ結果収集・補正部６１は、データベース部６２から取得した損失のデータを用いて、ＰＤ３６から収集した、信号光とダミー光とが合波された光の光レベルを補正する。
【０１０９】
第２の制御回路３８は、ダミー光挿入方路・チャネル決定部６３、モニタ結果差分比較部６４、ＷＳＳ設定値計算部６５及びＷＳＳ駆動部６６を有していてもよい。ダミー光挿入方路・チャネル決定部６３は、入力断判定部５３から、障害ありと判定された方路の情報を受け取り、データベース部６２から各方路の信号光およびダミー光の波長のデータを取得して、ダミー光を挿入する方路・チャネルを決定する。
【０１１０】
モニタ結果差分比較部６４は、モニタ結果収集・補正部６１から、ＰＤ３６によって検出された光の光レベルを受け取り、ＰＤ３６によって検出された光の光レベルと、所定の目標値との差分を算出する。データベース部６２は、所定の目標値を有していてもよい。
【０１１１】
ＷＳＳ設定値計算部６５は、ダミー光挿入方路・チャネル決定部６３から、ダミー光を挿入する方路・チャネルの情報を受け取り、モニタ結果差分比較部６４から、ＰＤ３６によって検出された光の光レベルと、所定の目標値との差分を受け取る。そして、ＷＳＳ設定値計算部６５は、ダミー光を挿入する方路・チャネルの情報に基づいて、Ｍ×１ＷＳＳ２６の各チャネルのスルーまたはブロックを決定する。
【０１１２】
また、ＷＳＳ設定値計算部６５は、ＰＤ３６によって検出された光の光レベルと、所定の目標値との差分に基づいて、障害ありと判定された方路とは異なる方路に挿入されたダミー光をスルーするＭ×１ＷＳＳ２６の減衰量を算出する。例えば、ＷＳＳ設定値計算部６５は、モニタ結果差分比較部６４によって算出された差分がゼロになるように、障害ありと判定された方路とは異なる方路に挿入されたダミー光をスルーするＭ×１ＷＳＳ２６の減衰量を算出する。
【０１１３】
ＷＳＳ駆動部６６は、ＷＳＳ設定値計算部６５からＭ×１ＷＳＳ２６の減衰量を受け取り、その減衰量に基づいて、Ｍ×１ＷＳＳ２６にＭ×１ＷＳＳ２６を駆動する制御信号を出力する。
【０１１４】
モニタ結果収集・補正部６１、ダミー光挿入方路・チャネル決定部６３、モニタ結果差分比較部６４、ＷＳＳ設定値計算部６５及びＷＳＳ駆動部６６は、例えば図７に示すハードウェアにおいて、ＣＰＵ４１が、後述する光伝送方法を実現するプログラムを実行することによって実現されてもよい。あるいは、モニタ結果収集・補正部６１、ダミー光挿入方路・チャネル決定部６３、モニタ結果差分比較部６４、ＷＳＳ設定値計算部６５及びＷＳＳ駆動部６６は、ハードウェアによって実現されてもよい。データベース部６２は、メモリ４２によって実現されてもよい。
【０１１５】
・光伝送方法の第３の例
図２１は、実施の形態にかかる光伝送方法の第３の例を示す図である。図２１に示す光伝送方法は、例えば図１９に示す光伝送装置によって実施されてもよい。本実施例では、図１９に示す光伝送装置によって実施されるとして説明する。
【０１１６】
図１９に示す光伝送装置２１において光伝送が開始されると、光伝送装置２１は、各ＰＤ３５及びＰＤ３６による光レベルのモニタを開始する（ステップＳ２１）。そして、モニタ結果収集・補正部５１は、各ＰＤ３５から各方路の光の光レベル、すなわちＰＤ１〜ＰＤｋの各出力パワーＰ（ＰＤ１）〜Ｐ（ＰＤｋ）を取得する（ステップＳ２２）。
【０１１７】
次いで、入力断判定部５３は、ＰＤ１〜ＰＤｋの各出力パワーＰ（ＰＤ１）〜Ｐ（ＰＤｋ）が、予め設定された閾値以上であるか否かを判定する（ステップＳ２３）。データベース部５２は、閾値を有していてもよい。各出力パワーＰ（ＰＤ１）〜Ｐ（ＰＤｋ）が閾値以上である場合（ステップＳ２３：Ｙｅｓ）、ステップＳ２２に戻る。
【０１１８】
いずれかの出力パワーＰ（ＰＤ１）〜Ｐ（ＰＤｋ）が閾値以上でない場合（ステップＳ２３：Ｎｏ）、入力断判定部５３は、出力パワーが閾値以上でない方路からの信号光に障害があると判定する。入力断判定部５３は、障害ありと判定した方路の情報を第２の制御回路３８へ通知する。そして、ステップＳ２４へ進む。
【０１１９】
ダミー光挿入方路・チャネル決定部６３は、入力断判定部５３から、障害ありと判定された方路の情報を受け取ると、データベース部６２から各方路の信号光およびダミー光の波長のデータを取得して、ダミー光を挿入する方路・チャネルを決定する（ステップＳ２４）。ダミー光が挿入される方路・チャネルは、障害ありと判定された方路とは異なる方路であってもよい。
【０１２０】
次いで、モニタ結果収集・補正部６１は、Ｍ×１ＷＳＳ２６から出力された光の光レベル、すなわちＰＤｘの出力パワーＰ（ＰＤｘ）をモニタする（ステップＳ２５）。例えば、モニタ結果収集・補正部６１は、ＰＤ３６からＰＤｘの出力パワーＰ（ＰＤｘ）を取得し、データベース部６２から取得した損失のデータを用いて、ＰＤｘの出力パワーＰ（ＰＤｘ）を補正することによって、モニタする。
【０１２１】
次いで、モニタ結果差分比較部６４は、ＰＤｘの出力パワーＰ（ＰＤｘ）と所定の目標値、すなわちターゲットパワーＰ（Ｔ）との差分を算出する（ステップＳ２６）。次いで、ＷＳＳ設定値計算部６５は、ステップＳ２６で算出された差分に基づいて、ステップＳ２４で決定された、ダミー光が挿入される方路・チャネルのＭ×１ＷＳＳ２６における減衰量を算出する。そして、ＷＳＳ駆動部６６は、ＷＳＳ設定値計算部６５によって算出された減衰量に基づいて、Ｍ×１ＷＳＳ２６に制御信号を出力し、Ｍ×１ＷＳＳ２６の減衰量（ＡＴＴ量）を調整する（ステップＳ２７）。
【０１２２】
次いで、モニタ結果収集・補正部６１は、再びＰＤｘの出力パワーＰ（ＰＤｘ）をモニタする（ステップＳ２８）。次いで、モニタ結果差分比較部６４は、ＰＤｘの出力パワーＰ（ＰＤｘ）がターゲットパワーＰ（Ｔ）レベルに相当するレベルであるか否かを判定する（ステップＳ２９）。
【０１２３】
ＰＤｘの出力パワーＰ（ＰＤｘ）がターゲットパワーＰ（Ｔ）レベルに相当するレベルでない場合（ステップＳ２９：Ｎｏ）、ステップＳ２６に戻る。一方、ＰＤｘの出力パワーＰ（ＰＤｘ）がターゲットパワーＰ（Ｔ）レベルに相当するレベルである場合（ステップＳ２９：Ｙｅｓ）、例えば、障害ありと判定された方路とは異なる方路から、障害ありと判定された方路からの信号光の波長と同じ波長のダミー光を挿入することが完了する（ステップＳ３０）。従って、光伝送装置２１は、一連の処理を終了する。
【０１２４】
・ＷＳＳにおけるマッピング例
図２２は、図１９に示すＷＳＳにおけるマッピング例を示す図である。図２２に示すように、例えば、障害発生前の状態では、方路１については、チャネル０１〜０４はスルーであり、それ以外のチャネルはブロックであるとする。また、障害発生前の状態では、方路２については、チャネル０５〜０７はスルーであり、それ以外のチャネルはブロックであるとする。方路２に障害が発生すると、例えば、方路２のチャネル０５〜０７がスルーからブロックに変わり、方路１のチャネル０５〜０７がブロックからスルーに変わる。それによって、方路２からの信号光の代わりに、方路２からの信号光の波長と同じ波長のダミー光が方路１に挿入される。
【０１２５】
・波長配置の第２の例
図２３は、図１９に示す光伝送装置の正常時の波長配置例を示す図である。図２４は、図１９に示す光伝送装置の障害時の波長配置例を示す図である。本実施例では、説明の簡略化のため、方路１からの光と方路２からの光とをＭ×１ＷＳＳ２６で多重して方路３へ出力する場合を例にして説明する。図２３及び図２４に示す波長配置例は、図２２に示すマッピング例に対応している。
【０１２６】
図２３に示すように、正常時には、方路１からＭ×１ＷＳＳ２６に、方路１の信号光と、方路２の信号光の波長と同じ波長のダミー光とが入力される。また、正常時には、方路２からＭ×１ＷＳＳ２６に、方路２の信号光と、方路１の信号光の波長と同じ波長のダミー光とが入力される。そして、正常時には、Ｍ×１ＷＳＳ２６において、方路１から入力された方路１のダミー光と、方路２から入力された方路２のダミー光とがブロックされて、Ｍ×１ＷＳＳ２６から方路３に、方路１の信号光と方路２の信号光とが出力される。
【０１２７】
図２４に示すように、方路２で起こった障害によって方路２から信号光が入力されなくなると、方路２の信号光のチャネルがスルーからブロックに変更され、方路１のダミー光のチャネルがブロックからスルーに変更される。それによって、Ｍ×１ＷＳＳ２６から方路３に、方路１の信号光と、方路２の信号光の波長と同じ波長の方路１のダミー光とが出力される。
【０１２８】
その他の構成は、図１８に示す光伝送装置の第５の例と同様である。従って、重複する説明を省略する。なお、図１３に示す光伝送装置の第３の例と同様に、光フィルタ３３をなくしてもよい。また、各方路のＰＤ３５をＣＰＬ２５の入力側に設けてもよい。また、各方路のＰＤ３５の代わりに、図４に示す光伝送装置の第２の例と同様に、信号光の光レベルを検出する第１のＰＤ２４と、ダミー光の光レベルを検出する第２のＰＤ３０とを設けてもよい。
【０１２９】
図１９に示す光伝送装置２１によれば、ポストアンプ２７へ入力される光の光レベルが所定の目標値になるように、第２の制御回路３８がＭ×１ＷＳＳ２６の減衰量を制御する。それによって、Ｍ×１ＷＳＳ２６から出力される光の光レベルが常に一定になるように制御されるため、図４に示す光伝送装置の第２の例と同様に、信号光が入力断となっても、ポストアンプ２７に一定のパワーの光が入力される。従って、光サージの発生を防ぎ、障害の発生した方路からの光に多重される他の方路からの信号光の劣化を防ぐことができる。
【０１３０】
また、他の方路で伝送されている、障害ありと判定された信号光の波長と同じ波長のダミー光が挿入されることによって、Ｍ×１ＷＳＳ２６にシステムで運用可能な全波長の光が入力されるため、Ｍ×１ＷＳＳ２６から出力される光の光レベルを常に一定になるように制御することができる。
【０１３１】
また、図１９に示す光伝送装置２１によれば、Ｍ×１ＷＳＳ２６によってＭ×１ＷＳＳ２６から出力される光の光レベルを調整することによって、ポストアンプ２７へ入力される光の光レベルを所定の目標値に制御することができる。
【０１３２】
・光伝送装置の第７の例
図２５は、実施の形態にかかる光伝送装置の第７の例を示す図である。図２５に示すように、光伝送装置２１は、図１９に示す光伝送装置２１において、第２の制御回路３８は、信号光に障害のある方路を判定し、その判定結果に基づいてダミー光を挿入する方路・チャネルを決定する構成であってもよい。従って、制御回路２９は、制御回路２９によって障害ありと判定した方路の情報を第２の制御回路３８へ通知しない。
【０１３３】
第２のモニタ回路３７は、電気配線を介して各ＰＤ３５及びＰＤ３６に接続されている。第２のモニタ回路３７は、各ＰＤ３５から、各方路の信号光とダミー光とが合波された光の光レベルを収集する。第２のモニタ回路３７は、収集した結果に対して、例えばＣＰＬ２５での損失や各ＰＤ３５における図示省略する１×２ＳＰＬでの損失を考慮して補正を行い、補正した結果を第２の制御回路３８へ出力する。
【０１３４】
また、第２のモニタ回路３７は、ＰＤ３６から、Ｍ×１ＷＳＳ２６から出力された光の光レベルを収集する。第２のモニタ回路３７は、収集した結果に対して、例えばＰＤ３６における図示省略する１×２ＳＰＬでの損失を考慮して補正を行い、補正した結果を第２の制御回路３８へ出力する。
【０１３５】
第２の制御回路３８は、電気配線を介して第２のモニタ回路３７及びＭ×１ＷＳＳ２６に接続されている。第２の制御回路３８は、第２のモニタ回路３７から、各ＰＤ３５によって検出された、各方路の信号光とダミー光とが合波された光の光レベルを受け取り、各方路の光の光レベルに基づいて、各方路からの信号光に障害があるか否かを判定する。
【０１３６】
第２の制御回路３８は、障害ありと判定した方路の信号光と、他の方路で伝送されている、障害ありと判定した方路の信号光の波長と同じ波長のダミー光とを選択する制御信号をＭ×１ＷＳＳ２６へ出力する。それによって、Ｍ×１ＷＳＳ２６において、障害ありと判定された方路の信号光と、他の方路で伝送されている、障害ありと判定された方路の信号光の波長と同じ波長のダミー光とが選択される。
【０１３７】
また、第２の制御回路３８は、第２のモニタ回路３７から、ＰＤ３６によって検出された、Ｍ×１ＷＳＳ２６から出力された光の光レベルを受け取る。第２の制御回路３８は、第２のモニタ回路３７から受け取った光レベルに基づいて、Ｍ×１ＷＳＳ２６から出力された光の光レベルが所定の目標値になるように、障害ありと判定された方路とは異なる方路に挿入されたダミー光をスルーするＭ×１ＷＳＳ２６の減衰量を制御する。それによって、Ｍ×１ＷＳＳ２６から出力された光の光レベルが所定の目標値になるように制御される。
【０１３８】
図２６は、図２５に示すモニタ回路及び制御回路の機能的構成の一例を示す図である。図２６に示すように、モニタ回路２８及び制御回路２９は、図２０に示す光伝送装置の第６の例におけるモニタ回路２８及び制御回路２９と同様である。ただし、入力断判定部５３は、入力断判定部５３によって障害ありと判定した方路の情報を第２の制御回路３８のダミー光挿入方路・チャネル決定部６３へ通知しない。
【０１３９】
図２７は、図２５に示すモニタ回路及び制御回路の機能的構成の一例を示す図である。図２７に示すように、第２のモニタ回路３７は、図２０に示す光伝送装置の第６の例における第２のモニタ回路３７と同様である。ただし、データベース部６２は、例えばＣＰＬ２５での損失や各ＰＤ３５及びＰＤ３６における１×２ＳＰＬでの損失のデータを有する。
【０１４０】
また、モニタ結果収集・補正部６１は、各ＰＤ３５から、各方路の信号光とダミー光とが合波された光の光レベルを収集する。モニタ結果収集・補正部６１は、データベース部６２から、例えばＣＰＬ２５での損失や各ＰＤ３５における１×２ＳＰＬでの損失のデータを取得する。モニタ結果収集・補正部５１は、データベース部６２から取得した損失のデータを用いて、ＰＤ３５から収集した、信号光とダミー光とが合波された光の光レベルを補正する。
【０１４１】
第２の制御回路３８は、図２０に示す光伝送装置の第６の例における第２の制御回路３８の他に、入力断判定部６７を有していてもよい。入力断判定部６７は、モニタ結果収集・補正部６１から、各ＰＤ３５によって検出された、信号光とダミー光とが合波された光の光レベルを受け取り、受け取った光レベルに基づいて各方路からの信号光に障害があるか否か、つまり信号光の入力断があるか否かを判定する。
【０１４２】
例えば、入力断判定部６７は、各ＰＤ３５によって検出された光の光レベルを、予め設定されている閾値と比較し、ＰＤ３５によって検出された光の光レベルが閾値よりも小さい方路に対して、信号光の入力断があると判定してもよい。入力断判定部６７は、障害ありと判定した方路の情報をダミー光挿入方路・チャネル決定部６３へ通知する。
【０１４３】
ダミー光挿入方路・チャネル決定部６３は、入力断判定部６７から、障害ありと判定された方路の情報を受け取り、データベース部６２から各方路の信号光およびダミー光の波長のデータを取得して、ダミー光を挿入する方路・チャネルを決定する。
【０１４４】
モニタ結果収集・補正部６１、ダミー光挿入方路・チャネル決定部６３、モニタ結果差分比較部６４、ＷＳＳ設定値計算部６５、ＷＳＳ駆動部６６及び入力断判定部６７は、例えば図７に示すハードウェアにおいて、ＣＰＵ４１が、後述する光伝送方法を実現するプログラムを実行することによって実現されてもよい。あるいは、モニタ結果収集・補正部６１、ダミー光挿入方路・チャネル決定部６３、モニタ結果差分比較部６４、ＷＳＳ設定値計算部６５、ＷＳＳ駆動部６６及び入力断判定部６７は、ハードウェアによって実現されてもよい。データベース部６２は、メモリ４２によって実現されてもよい。
【０１４５】
その他の構成は、図１９に示す光伝送装置の第６の例と同様である。従って、重複する説明を省略する。なお、図１３に示す光伝送装置の第３の例と同様に、光フィルタ３３をなくしてもよい。また、各方路のＰＤ３５をＣＰＬ２５の入力側に設けてもよい。また、各方路のＰＤ３５の代わりに、図４に示す光伝送装置の第２の例と同様に、信号光の光レベルを検出する第１のＰＤ２４と、ダミー光の光レベルを検出する第２のＰＤ３０とを設けてもよい。
【０１４６】
図２５に示す光伝送装置２１によれば、ポストアンプ２７へ入力される光の光レベルが所定の目標値になるように、第２の制御回路３８がＭ×１ＷＳＳ２６の減衰量を制御する。それによって、Ｍ×１ＷＳＳ２６から出力される光の光レベルが常に一定になるように制御されるため、図４に示す光伝送装置の第２の例と同様に、信号光が入力断となっても、ポストアンプ２７に一定のパワーの光が入力される。従って、光サージの発生を防ぎ、障害の発生した方路からの光に多重される他の方路からの信号光の劣化を防ぐことができる。
【０１４７】
・光伝送装置の第８の例
図２８は、実施の形態にかかる光伝送装置の第８の例を示す図である。図２８に示すように、光伝送装置２１は、図１９に示す光伝送装置２１において、Ｍ×１ＷＳＳ２６の後段に、ＰＤ３６の代わりに、ＯＣＭ（Ｏｐｔｉｃａｌ  ｃｈａｎｎｅｌ  ｍｏｎｉｔｏｒ、光チャネルモニタ）３９を設けた構成であってもよい。
【０１４８】
ＯＣＭ３９は、Ｍ×１ＷＳＳ２６から出力された光の光レベルをチャネルごとに検出し、検出した光レベルに応じた電気信号を出力する。厳密には、Ｍ×１ＷＳＳ２６から伸びる光伝送路には、図示省略する１×２ＳＰＬが接続されている。この１×２ＳＰＬにおいて、Ｍ×１ＷＳＳ２６から光伝送路に出力された光が２分岐され、一方の光がポストアンプ２７へ出力され、他方の光がＯＣＭ３９へ出力される。ＯＣＭ３９は、１×２ＳＰＬから出力された光の光レベルをチャネルごとに検出する。
【０１４９】
第２のモニタ回路３７は、電気配線を介してＯＣＭ３９に接続されている。第２のモニタ回路３７は、ＯＣＭ３９から、Ｍ×１ＷＳＳ２６から出力された光の光レベルをチャネルごとに収集する。第２のモニタ回路３７は、収集した結果に対して、例えばＯＣＭ３９における図示省略する１×２ＳＰＬでの損失を考慮して補正を行い、補正した結果を第２の制御回路３８へ出力する。ＯＣＭ３９における図示省略する１×２ＳＰＬでの損失のデータは、予め取得されており、例えばデータベース部６２に保持されていてもよい。
【０１５０】
第２の制御回路３８は、電気配線を介して制御回路２９、第２のモニタ回路３７及びＭ×１ＷＳＳ２６に接続されている。第２の制御回路３８は、第２のモニタ回路３７から、ＯＣＭ３９によって検出された、Ｍ×１ＷＳＳ２６から出力された光の光レベルをチャネルごとに受け取る。第２の制御回路３８は、第２のモニタ回路３７から受け取ったチャネルごとの光レベルに基づいて、Ｍ×１ＷＳＳ２６から出力された光のチャネルごとの光レベルの合計値が所定の目標値になるように、Ｍ×１ＷＳＳ２６の減衰量をチャネルごとに制御する。それによって、Ｍ×１ＷＳＳ２６から出力された光のチャネルごとの光レベルの合計値が所定の目標値になるように制御される。
【０１５１】
図２９は、図２８に示すモニタ回路及び制御回路の機能的構成の一例を示す図である。図２９に示すように、モニタ回路２８及び制御回路２９は、図２０に示す光伝送装置の第６の例におけるモニタ回路２８及び制御回路２９と同様である。
【０１５２】
第２のモニタ回路３７は、図２０に示す光伝送装置の第６の例における第２のモニタ回路３７と同様である。ただし、モニタ結果収集・補正部６１は、ＯＣＭ３９から、Ｍ×１ＷＳＳ２６から出力された光の光レベルをチャネルごとに収集する。
【０１５３】
第２の制御回路３８は、図２０に示す光伝送装置の第６の例における第２の制御回路３８と同様である。ただし、モニタ結果差分比較部６４は、モニタ結果収集・補正部６１から受け取ったチャネルごとの光レベルと、チャネルごとの所定の目標値との差分を算出する。データベース部６２は、所定の目標値をチャネルごとに有していてもよい。
【０１５４】
ＷＳＳ設定値計算部６５は、ダミー光挿入方路・チャネル決定部６３から、ダミー光を挿入する方路・チャネルの情報を受け取り、モニタ結果差分比較部６４から、第２のモニタ回路３７から受け取ったチャネルごとの光レベルとチャネルごとの所定の目標値との差分を受け取る。そして、ＷＳＳ設定値計算部６５は、ダミー光を挿入する方路・チャネルの情報に基づいて、Ｍ×１ＷＳＳ２６の各チャネルのスルーまたはブロックを決定する。
【０１５５】
ＷＳＳ設定値計算部６５は、モニタ結果差分比較部６４から受け取ったチャネルごとの所定の目標値との差分に基づいて、障害ありと判定された方路とは異なる方路に挿入されたダミー光をスルーするチャネルのＭ×１ＷＳＳ２６における減衰量を算出する。例えば、ＷＳＳ設定値計算部６５は、モニタ結果差分比較部６４によって算出された差分がゼロになるように、ダミー光をスルーするチャネルのＭ×１ＷＳＳ２６における減衰量を算出する。
【０１５６】
また、ＷＳＳ設定値計算部６５は、Ｍ×１ＷＳＳ２６から出力された光のチャネルごとの光レベルの合計値が所定の目標値になるように、ダミー光をスルーするチャネルのＭ×１ＷＳＳ２６における減衰量を算出する。データベース部６２は、Ｍ×１ＷＳＳ２６から出力される光の光レベルの合計値の目標値を有していてもよい。
【０１５７】
ＷＳＳ駆動部６６は、ＷＳＳ設定値計算部６５からＭ×１ＷＳＳ２６のチャネルごとの減衰量を受け取り、その減衰量に基づいて、Ｍ×１ＷＳＳ２６にＭ×１ＷＳＳ２６を駆動する制御信号を出力する。
【０１５８】
・光伝送方法の第４の例
図３０は、実施の形態にかかる光伝送方法の第４の例を示す図である。図３０に示す光伝送方法は、例えば図２８に示す光伝送装置によって実施されてもよい。本実施例では、図２８に示す光伝送装置によって実施されるとして説明する。
【０１５９】
図２８に示す光伝送装置２１において光伝送が開始されると、光伝送装置２１は、各ＰＤ３５及びＯＣＭ３９による光レベルのモニタを開始する（ステップＳ４１）。そして、モニタ結果収集・補正部５１は、各ＰＤ３５から各方路の光の光レベル、すなわちＰＤ１〜ＰＤｋの各出力パワーＰ（ＰＤ１）〜Ｐ（ＰＤｋ）を取得する（ステップＳ４２）。
【０１６０】
次いで、入力断判定部５３は、ＰＤ１〜ＰＤｋの各出力パワーＰ（ＰＤ１）〜Ｐ（ＰＤｋ）が、予め設定された閾値以上であるか否かを判定する（ステップＳ４３）。データベース部５２は、閾値を有していてもよい。各出力パワーＰ（ＰＤ１）〜Ｐ（ＰＤｋ）が閾値以上である場合（ステップＳ４３：Ｙｅｓ）、ステップＳ４２に戻る。
【０１６１】
いずれかの出力パワーＰ（ＰＤ１）〜Ｐ（ＰＤｋ）が閾値以上でない場合（ステップＳ４３：Ｎｏ）、入力断判定部５３は、出力パワーが閾値以上でない方路からの信号光に障害があると判定する。入力断判定部５３は、障害ありと判定した方路の情報を第２の制御回路３８へ通知する。そして、ステップＳ４４へ進む。
【０１６２】
ダミー光挿入方路・チャネル決定部６３は、入力断判定部５３から、障害ありと判定された方路の情報を受け取ると、データベース部６２から各方路の信号光およびダミー光の波長のデータを取得して、ダミー光を挿入する方路・チャネルを決定する（ステップＳ４４）。ダミー光が挿入される方路・チャネルは、障害ありと判定された方路とは異なる方路であってもよい。
【０１６３】
次いで、モニタ結果収集・補正部６１は、Ｍ×１ＷＳＳ２６から出力された光のチャネルごとの光レベル、すなわちＭ×１ＷＳＳ２６のチャネルごとの出力パワーをモニタする（ステップＳ４５）。例えば、モニタ結果収集・補正部６１は、ＯＣＭ３９から、Ｍ×１ＷＳＳ２６のチャネルごとの出力パワーを取得し、データベース部６２から取得した損失のデータを用いて、Ｍ×１ＷＳＳ２６のチャネルごとの出力パワーを補正することによって、モニタする。
【０１６４】
次いで、モニタ結果差分比較部６４は、チャネルごとに、Ｍ×１ＷＳＳ２６のチャネルごとの出力パワーとチャネルごとの所定の目標値、すなわちチャネルごとのターゲットパワーＰ（Ｔ）との差分を算出する（ステップＳ４６）。次いで、ＷＳＳ設定値計算部６５は、ステップＳ４６で算出された差分に基づいて、ステップＳ４４で決定された、ダミー光が挿入される方路・チャネルのＭ×１ＷＳＳ２６における減衰量を算出する。そして、ＷＳＳ駆動部６６は、ＷＳＳ設定値計算部６５によって算出された減衰量に基づいて、Ｍ×１ＷＳＳ２６に制御信号を出力し、Ｍ×１ＷＳＳ２６の減衰量（ＡＴＴ量）を調整する（ステップＳ４７）。
【０１６５】
次いで、モニタ結果収集・補正部６１は、ＯＣＭ３９から、再びＭ×１ＷＳＳ２６のチャネルごとの出力パワーを取得し、Ｍ×１ＷＳＳ２６のチャネルごとの出力パワーをモニタする（ステップＳ４８）。次いで、モニタ結果差分比較部６４は、Ｍ×１ＷＳＳ２６のチャネルごとの出力パワーの合計値、すなわち出力の合計パワーが、その合計パワーの所定の目標値であるターゲットパワーＰ（Ｔｔｏｔａｌ）レベルに相当するレベルであるか否かを判定する（ステップＳ４９）。
【０１６６】
Ｍ×１ＷＳＳ２６の出力の合計パワーがターゲットパワーＰ（Ｔｔｏｔａｌ）レベルに相当するレベルでない場合（ステップＳ４９：Ｎｏ）、ステップＳ４６に戻る。一方、Ｍ×１ＷＳＳ２６の出力の合計パワーがターゲットパワーＰ（Ｔｔｏｔａｌ）レベルに相当するレベルである場合（ステップＳ４９：Ｙｅｓ）、例えば、障害ありと判定された方路とは異なる方路から、障害ありと判定された方路からの信号光の波長と同じ波長のダミー光を挿入することが完了する（ステップＳ５０）。従って、光伝送装置２１は、一連の処理を終了する。
【０１６７】
その他の構成は、図１９に示す光伝送装置の第６の例と同様である。従って、重複する説明を省略する。なお、図１３に示す光伝送装置の第３の例と同様に、光フィルタ３３をなくしてもよい。また、各方路のＰＤ３５をＣＰＬ２５の入力側に設けてもよい。また、各方路のＰＤ３５の代わりに、図４に示す光伝送装置の第２の例と同様に、信号光の光レベルを検出する第１のＰＤ２４と、ダミー光の光レベルを検出する第２のＰＤ３０とを設けてもよい。
【０１６８】
図２８に示す光伝送装置２１によれば、Ｍ×１ＷＳＳ２６の各チャネルの出力の合計パワーが所定の目標値になるように、各チャネルの出力パワーが制御されるため、図４に示す光伝送装置の第２の例と同様に、信号光が入力断となっても、ポストアンプ２７に一定のパワーの光が入力される。従って、光サージの発生を防ぎ、障害の発生した方路からの光に多重される他の方路からの信号光の劣化を防ぐことができる。また、図２８に示す光伝送装置２１によれば、ＯＣＭ３９によってＭ×１ＷＳＳ２６のチャネルごとの出力パワーをモニタすることができるため、Ｍ×１ＷＳＳ２６のチャネルごとの出力パワーを調整することができる。
【０１６９】
・光伝送装置の第９の例
図３１は、実施の形態にかかる光伝送装置の第９の例を示す図である。図３１に示すように、光伝送装置２１は、図２８に示す光伝送装置２１において、第２の制御回路３８は、信号光に障害のある方路を判定し、その判定結果に基づいてダミー光を挿入する方路・チャネルを決定する構成であってもよい。従って、制御回路２９は、制御回路２９によって障害ありと判定した方路の情報を第２の制御回路３８へ通知しない。
【０１７０】
第２のモニタ回路３７は、電気配線を介して各ＰＤ３５及びＯＣＭ３９に接続されている。第２のモニタ回路３７は、各ＰＤ３５から、各方路の信号光とダミー光とが合波された光の光レベルを収集する。第２のモニタ回路３７は、収集した結果に対して、例えばＣＰＬ２５での損失や各ＰＤ３５における図示省略する１×２ＳＰＬでの損失を考慮して補正を行い、補正した結果を第２の制御回路３８へ出力する。
【０１７１】
第２の制御回路３８は、電気配線を介して第２のモニタ回路３７及びＭ×１ＷＳＳ２６に接続されている。第２の制御回路３８は、第２のモニタ回路３７から、各ＰＤ３５によって検出された、各方路の信号光とダミー光とが合波された光の光レベルを受け取り、各方路の光の光レベルに基づいて、各方路からの信号光に障害があるか否かを判定する。
【０１７２】
第２の制御回路３８は、障害ありと判定した方路の信号光と、他の方路で伝送されている、障害ありと判定した方路の信号光の波長と同じ波長のダミー光とを選択する制御信号をＭ×１ＷＳＳ２６へ出力する。それによって、Ｍ×１ＷＳＳ２６において、障害ありと判定された方路の信号光と、他の方路で伝送されている、障害ありと判定された方路の信号光の波長と同じ波長のダミー光とが選択される。
【０１７３】
モニタ回路２８及び制御回路２９は、図２９に示す光伝送装置の第８の例におけるモニタ回路２８及び制御回路２９と同様である。ただし、入力断判定部５３は、入力断判定部５３によって障害ありと判定した方路の情報を第２の制御回路３８のダミー光挿入方路・チャネル決定部６３へ通知しない。
【０１７４】
図３２は、図３１に示すモニタ回路及び制御回路の機能的構成の一例を示す図である。図３２に示すように、第２のモニタ回路３７は、図２９に示す光伝送装置の第８の例における第２のモニタ回路３７と同様である。ただし、データベース部６２は、例えばＣＰＬ２５での損失や各ＰＤ３５及びＯＣＭ３９における１×２ＳＰＬでの損失のデータを有する。
【０１７５】
また、モニタ結果収集・補正部６１は、各ＰＤ３５から、各方路の信号光とダミー光とが合波された光の光レベルを収集する。モニタ結果収集・補正部６１は、データベース部６２から、例えばＣＰＬ２５での損失や各ＰＤ３５における１×２ＳＰＬでの損失のデータを取得する。モニタ結果収集・補正部５１は、データベース部６２から取得した損失のデータを用いて、ＰＤ３５から収集した、信号光とダミー光とが合波された光の光レベルを補正する。
【０１７６】
第２の制御回路３８は、図２９に示す光伝送装置の第８の例における第２の制御回路３８の他に、入力断判定部６７を有していてもよい。入力断判定部６７は、モニタ結果収集・補正部６１から、各ＰＤ３５によって検出された、信号光とダミー光とが合波された光の光レベルを受け取り、受け取った光レベルに基づいて各方路からの信号光に障害があるか否か、つまり信号光の入力断があるか否かを判定する。
【０１７７】
例えば、入力断判定部６７は、各ＰＤ３５によって検出された光の光レベルを、予め設定されている閾値と比較し、ＰＤ３５によって検出された光の光レベルが閾値よりも小さい方路に対して、信号光の入力断があると判定してもよい。入力断判定部６７は、障害ありと判定した方路の情報をダミー光挿入方路・チャネル決定部６３へ通知する。
【０１７８】
ダミー光挿入方路・チャネル決定部６３は、入力断判定部６７から、障害ありと判定された方路の情報を受け取り、データベース部６２から各方路の信号光およびダミー光の波長のデータを取得して、ダミー光を挿入する方路・チャネルを決定する。
【０１７９】
モニタ結果収集・補正部６１、ダミー光挿入方路・チャネル決定部６３、モニタ結果差分比較部６４、ＷＳＳ設定値計算部６５、ＷＳＳ駆動部６６及び入力断判定部６７は、例えば図７に示すハードウェアにおいて、ＣＰＵ４１が、後述する光伝送方法を実現するプログラムを実行することによって実現されてもよい。あるいは、モニタ結果収集・補正部６１、ダミー光挿入方路・チャネル決定部６３、モニタ結果差分比較部６４、ＷＳＳ設定値計算部６５、ＷＳＳ駆動部６６及び入力断判定部６７は、ハードウェアによって実現されてもよい。データベース部６２は、メモリ４２によって実現されてもよい。
【０１８０】
その他の構成は、図２８に示す光伝送装置の第８の例と同様である。従って、重複する説明を省略する。なお、図１３に示す光伝送装置の第３の例と同様に、光フィルタ３３をなくしてもよい。また、各方路のＰＤ３５をＣＰＬ２５の入力側に設けてもよい。また、各方路のＰＤ３５の代わりに、図４に示す光伝送装置の第２の例と同様に、信号光の光レベルを検出する第１のＰＤ２４と、ダミー光の光レベルを検出する第２のＰＤ３０とを設けてもよい。
【０１８１】
図３１に示す光伝送装置２１によれば、Ｍ×１ＷＳＳ２６の各チャネルの出力の合計パワーが所定の目標値になるように、各チャネルの出力パワーが制御されるため、図４に示す光伝送装置の第２の例と同様に、信号光が入力断となっても、ポストアンプ２７に一定のパワーの光が入力される。従って、光サージの発生を防ぎ、障害の発生した方路からの光に多重される他の方路からの信号光の劣化を防ぐことができる。また、図３１に示す光伝送装置２１によれば、ＯＣＭ３９によってＭ×１ＷＳＳ２６のチャネルごとの出力パワーをモニタすることができるため、Ｍ×１ＷＳＳ２６のチャネルごとの出力パワーを調整することができる。
【０１８２】
・光伝送装置の第１０の例
図３３は、実施の形態にかかる光伝送装置の第１０の例を示す図である。図３３に示すように、光伝送装置２１は、図２８に示す光伝送装置２１において、各方路に対応する高速ＶＯＡ３１及びＰＤ３５とは別に、送信側におけるダミー光挿入用に高速ＶＯＡ７１及びＰＤ７２を設けて、Ｍ×１ＷＳＳ２６に方路１〜方路ｋからとは別にダミー光を挿入する構成であってもよい。図３３において、「ＰＤｌ」は、送信側におけるダミー光挿入用のＰＤ７２である。
【０１８３】
高速ＶＯＡ７１は、光伝送路を介して１×ｋＳＰＬ３２に接続されている。また、高速ＶＯＡ７１は、電気配線を介して制御回路２９に接続されている。高速ＶＯＡ７１は、制御回路２９からの制御信号に基づいて、１×ｋＳＰＬ３２からのダミー光の光レベルを制御する。
【０１８４】
ＰＤ７２は、光伝送路を介して高速ＶＯＡ７１に接続されている。ＰＤ７２は、高速ＶＯＡ７１から出力された光の光レベルを検出し、検出した光レベルに応じた電気信号を出力する。厳密には、高速ＶＯＡ７１から伸びる光伝送路には、図示省略する１×２ＳＰＬが接続されている。この１×２ＳＰＬにおいて、高速ＶＯＡ７１から光伝送路に出力された光が２分岐され、一方の光がＭ×１ＷＳＳ２６へ出力され、他方の光がＰＤ７２へ出力される。ＰＤ７２は、１×２ＳＰＬから出力された光の光レベルを検出する。
【０１８５】
Ｍ×１ＷＳＳ２６は、ダミー光専用ポートを有しており、このダミー光専用ポートに、高速ＶＯＡ７１から出力されたシステムで運用可能な全波長のダミー光が入力される。例えば、Ｍ×１ＷＳＳ２６における波長パス切り替え時に、方路１からの波長λ１及び波長λ２の光のうち、波長λ１の光をドロップし、波長λ２の光をスルーする場合、Ｍ×１ＷＳＳ２６は、波長λ１の光をブロックし、波長λ２の光をスルーする。送信側から、波長λ１の光がアッドされない場合、Ｍ×１ＷＳＳ２６は、ダミー光専用ポートから入力されたダミー光のうち、波長λ１の光をスルーする。それによって、ポストアンプ２７に入力される光の波長数及びパワーが一定に保たれる。
【０１８６】
モニタ回路２８は、電気配線を介してＰＤ７２に接続されている。モニタ回路２８は、ＰＤ７２から、高速ＶＯＡ７１から出力されたダミー光の光レベルを収集する。モニタ回路２８は、収集した結果に対して、例えばＰＤ７２における図示省略する１×２ＳＰＬでの損失を考慮して補正を行い、補正した結果を制御回路２９へ出力する。データベース部５２は、例えばＰＤ７２における１×２ＳＰＬでの損失のデータを有する。
【０１８７】
制御回路２９は、モニタ回路２８から、ＰＤ７２によって検出された、高速ＶＯＡ７１から出力されたダミー光の光レベルを受け取る。制御回路２９は、高速ＶＯＡ７１からのダミー光の光レベルに基づいて、Ｍ×１ＷＳＳ２６のダミー光専用ポートに入力されるダミー光の光レベルを制御する制御信号を出力する。
【０１８８】
図３４は、図３３に示すモニタ回路及び制御回路の機能的構成の一例を示す図である。図３４に示すように、モニタ回路２８、制御回路２９、第２のモニタ回路３７及び第２の制御回路３８は、図２９に示す光伝送装置の第８の例におけるモニタ回路２８、制御回路２９、第２のモニタ回路３７及び第２の制御回路３８と同様である。ただし、モニタ結果収集・補正部５１は、ＰＤ７２から、高速ＶＯＡ７１から出力されたダミー光の光レベルを収集する。
【０１８９】
モニタ結果差分比較部５４は、モニタ結果収集・補正部５１から、高速ＶＯＡ７１から出力されたダミー光の光レベルを受け取り、ダミー光の光レベルと所定の目標値との差分を算出する。データベース部５２は、高速ＶＯＡ７１から出力されたダミー光の光レベルの所定の目標値を有していてもよい。
【０１９０】
ＶＯＡ設定値計算部５５は、モニタ結果差分比較部５４から、高速ＶＯＡ７１から出力されたダミー光の光レベルと所定の目標値との差分を受け取り、その差分に基づいて、高速ＶＯＡ７１の減衰量を算出する。例えば、ＶＯＡ設定値計算部５５は、モニタ結果差分比較部５４によって算出された差分がゼロになるように、高速ＶＯＡ７１の減衰量を算出する。
【０１９１】
ＶＯＡ駆動部５６は、ＶＯＡ設定値計算部５５から、高速ＶＯＡ７１の減衰量を受け取り、その減衰量に基づいて、高速ＶＯＡ７１に、その高速ＶＯＡ７１を駆動する制御信号を出力する。
【０１９２】
その他の構成は、図２８に示す光伝送装置の第８の例と同様である。従って、重複する説明を省略する。なお、図１３に示す光伝送装置の第３の例と同様に、光フィルタ３３をなくしてもよい。また、各方路のＰＤ３５をＣＰＬ２５の入力側に設けてもよい。また、各方路のＰＤ３５の代わりに、図４に示す光伝送装置の第２の例と同様に、信号光の光レベルを検出する第１のＰＤ２４と、ダミー光の光レベルを検出する第２のＰＤ３０とを設けてもよい。また、図３１に示す光伝送装置の第９の例と同様に、第２の制御回路３８が、信号光に障害のある方路を判定し、その判定結果に基づいてダミー光を挿入する方路・チャネルを決定する構成であってもよい。
【０１９３】
図３３に示す光伝送装置２１によれば、Ｍ×１ＷＳＳ２６によって、Ｍ×１ＷＳＳ２６のダミー光専用ポートに入力されたダミー光のうち、全方路及び送信側から入力された光に含まれない波長のダミー光を、全方路及び送信側から入力される光に多重することができる。従って、例えば送信側からの光が入力断となっても、ポストアンプ２７に入力される光の波長数及びパワーを一定に保つことができるため、光サージの発生を防ぎ、他の方路からの信号光の劣化を防ぐことができる。
【０１９４】
なお、Ｍ×１ＷＳＳ２６のダミー光専用ポートにシステムで運用可能な全波長のダミー光を入力させる代わりに、図３５に示すように、送信側からＭ×１ＷＳＳ２６にシステムで運用可能な全波長のダミー光を入力させるようにしてもよい。
【０１９５】
図３５は、Ｍ×１ＷＳＳ２６にダミー光を入力させる送信側の構成の一例を示す図である。図３５に示すように、送信側において、ＡＳＥ光源７８から出力された自然放出光と、送信部７７から出力された信号光とを合波部７６によって合波してＭ×１ＷＳＳ２６に入力させてもよい。また、図示しない光フィルタによって、自然放出光から、各信号光の波長において信号光と同程度の光スペクトル幅を有するダミー光を生成して、送信部７７から出力された信号光と合波させてもよい。
【０１９６】
・光伝送装置の第１１の例
図３６は、実施の形態にかかる光伝送装置の第１１の例を示す図である。図３６に示すように、光伝送装置２１は、図３３に示す光伝送装置２１において、ＯＣＭ３９によって検出されたＭ×１ＷＳＳ２６のチャネルごとの出力パワーに基づいて、第２の制御回路３８が、ダミー光を挿入する方路・チャネルを決定する構成であってもよい。制御回路２９は、制御回路２９によって障害ありと判定した方路の情報を第２の制御回路３８へ通知しない。
【０１９７】
また、Ｍ×１ＷＳＳ２６のダミー光専用ポートへダミー光を出力する高速ＶＯＡ７１から出力された光の光レベルを検出するＰＤ７２は、モニタ回路２８へ、検出した光レベルに応じた電気信号を出力しない。すなわち、モニタ回路２８は、ＰＤ７２から、高速ＶＯＡ７１から出力されたダミー光の光レベルを収集しない。また、高速ＶＯＡ７１は、制御回路２９による制御からは独立している。すなわち、制御回路２９は、高速ＶＯＡ７１の光レベルを制御していない。
【０１９８】
モニタ回路２８及び制御回路２９は、図３４に示す光伝送装置の第１０の例におけるモニタ回路２８及び制御回路２９と同様である。ただし、モニタ結果収集・補正部５１には、ＰＤ７２から、高速ＶＯＡ７１から出力されたダミー光の光レベルが入力されない。また、入力断判定部５３は、入力断判定部５３によって障害ありと判定した方路の情報を第２の制御回路３８のダミー光挿入方路・チャネル決定部６３へ通知しない。
【０１９９】
図３７は、図３６に示すモニタ回路及び制御回路の機能的構成の一例を示す図である。図３７に示すように、第２のモニタ回路３７及び第２の制御回路３８は、図３４に示す光伝送装置の第１０の例における第２のモニタ回路３７及び第２の制御回路３８と同様である。ただし、ダミー光挿入方路・チャネル決定部６３には、制御回路２９の入力断判定部５３から、入力断判定部５３によって障害ありと判定された方路の情報が通知されない。
【０２００】
ダミー光挿入方路・チャネル決定部６３は、モニタ結果収集・補正部６１から、ＯＣＭ３９によって検出されたＭ×１ＷＳＳ２６のチャネルごとの出力パワーを受け取り、Ｍ×１ＷＳＳ２６のチャネルごとの出力パワーに基づいて、ダミー光を挿入する方路・チャネルを決定する。
【０２０１】
・光伝送方法の第５の例
図３８は、実施の形態にかかる光伝送方法の第５の例を示す図である。図３８に示す光伝送方法は、例えば図３６に示す光伝送装置によって実施されてもよい。本実施例では、図３６に示す光伝送装置によって実施されるとして説明する。
【０２０２】
図３６に示す光伝送装置２１において光伝送が開始されると、光伝送装置２１は、各ＰＤ３５、ＰＤ７２及びＯＣＭ３９による光レベルのモニタを開始する（ステップＳ６１）。そして、モニタ結果収集・補正部６１は、ＯＣＭ３９から、Ｍ×１ＷＳＳ２６から出力された光のチャネルごとの光レベルを取得し、Ｍ×１ＷＳＳ２６の各チャネルの出力パワーをモニタする（ステップＳ６２）。
【０２０３】
次いで、ダミー光挿入方路・チャネル決定部６３は、各チャネルの出力パワーが、予め設定された閾値以上であるか否かを判定する（ステップＳ６３）。データベース部６２は、閾値を有していてもよい。各チャネルの出力パワーが閾値以上である場合（ステップＳ６３：Ｙｅｓ）、ステップＳ６２に戻る。
【０２０４】
いずれかのチャネルの出力パワーが閾値以上でない場合（ステップＳ６３：Ｎｏ）、ダミー光挿入方路・チャネル決定部６３は、データベース部６２から各方路の信号光およびダミー光の波長のデータを取得して、ダミー光を挿入する方路・チャネルを決定する（ステップＳ６４）。ダミー光が挿入される方路・チャネルは、障害ありと判定された方路とは異なる方路であってもよい。
【０２０５】
次いで、モニタ結果収集・補正部６１は、ＯＣＭ３９から、Ｍ×１ＷＳＳ２６から出力された光のチャネルごとの光レベルを取得し、Ｍ×１ＷＳＳ２６の各チャネルの出力パワーをモニタする（ステップＳ６５）。例えば、モニタ結果収集・補正部６１は、ＯＣＭ３９から、Ｍ×１ＷＳＳ２６のチャネルごとの出力パワーを取得し、データベース部６２から取得した損失のデータを用いて、Ｍ×１ＷＳＳ２６のチャネルごとの出力パワーを補正することによって、モニタする。
【０２０６】
次いで、モニタ結果差分比較部６４は、チャネルごとに、Ｍ×１ＷＳＳ２６のチャネルごとの出力パワーとチャネルごとの所定の目標値、すなわちチャネルごとのターゲットパワーＰ（Ｔ）との差分を算出する（ステップＳ６６）。次いで、ＷＳＳ設定値計算部６５は、ステップＳ６６で算出された差分に基づいて、ステップＳ６４で決定された、ダミー光が挿入される方路・チャネルのＭ×１ＷＳＳ２６における減衰量を算出する。そして、ＷＳＳ駆動部６６は、ＷＳＳ設定値計算部６５によって算出された減衰量に基づいて、Ｍ×１ＷＳＳ２６に制御信号を出力し、Ｍ×１ＷＳＳ２６の減衰量（ＡＴＴ量）を調整する（ステップＳ６７）。
【０２０７】
次いで、モニタ結果収集・補正部６１は、ＯＣＭ３９から、再びＭ×１ＷＳＳ２６から出力された光のチャネルごとの光レベルを取得し、Ｍ×１ＷＳＳ２６の各チャネルの出力パワーをモニタする（ステップＳ６８）。次いで、モニタ結果差分比較部６４は、Ｍ×１ＷＳＳ２６のチャネルごとの出力パワーの合計値、すなわち出力の合計パワーが、その合計パワーの所定の目標値であるターゲットパワーＰ（Ｔｔｏｔａｌ）レベルに相当するレベルであるか否かを判定する（ステップＳ６９）。
【０２０８】
Ｍ×１ＷＳＳ２６の出力の合計パワーがターゲットパワーＰ（Ｔｔｏｔａｌ）レベルに相当するレベルでない場合（ステップＳ６９：Ｎｏ）、ステップＳ６６に戻る。一方、Ｍ×１ＷＳＳ２６の出力の合計パワーがターゲットパワーＰ（Ｔｔｏｔａｌ）レベルに相当するレベルである場合（ステップＳ６９：Ｙｅｓ）、例えば、障害ありと判定された方路とは異なる方路から、障害ありと判定された方路からの信号光の波長と同じ波長のダミー光を挿入することが完了する（ステップＳ７０）。従って、光伝送装置２１は、一連の処理を終了する。
【０２０９】
その他の構成は、図３３に示す光伝送装置の第１０の例と同様である。従って、重複する説明を省略する。なお、図１３に示す光伝送装置の第３の例と同様に、光フィルタ３３をなくしてもよい。また、各方路のＰＤ３５をＣＰＬ２５の入力側に設けてもよい。また、各方路のＰＤ３５の代わりに、図４に示す光伝送装置の第２の例と同様に、信号光の光レベルを検出する第１のＰＤ２４と、ダミー光の光レベルを検出する第２のＰＤ３０とを設けてもよい。
【０２１０】
図３６に示す光伝送装置２１によれば、Ｍ×１ＷＳＳ２６の各チャネルの出力の合計パワーが所定の目標値になるように、各チャネルの出力パワーが制御されるため、図４に示す光伝送装置の第２の例と同様に、信号光が入力断となっても、ポストアンプ２７に一定のパワーの光が入力される。従って、光サージの発生を防ぎ、障害の発生した方路からの光に多重される他の方路からの信号光の劣化を防ぐことができる。また、図３６に示す光伝送装置２１によれば、ＯＣＭ３９によってＭ×１ＷＳＳ２６のチャネルごとの出力パワーをモニタすることができるため、Ｍ×１ＷＳＳ２６のチャネルごとの出力パワーを調整することができる。
【０２１１】
図４、図１３、図１７〜図１９、図２５、図２８、図３１、図３３及び図３６にそれぞれ示す光伝送装置２１を用いた光伝送システムの一例として、図２に示す光伝送システム１１が挙げられる。
【符号の説明】
【０２１２】
１，２１  光伝送装置
２  合波部
３  レベル制御部
４  ダミー光出力部
５  多重部
６  光増幅部
１１  光伝送システム
１２  光伝送路
２５  ＣＰＬ
２６  Ｍ×１ＷＳＳ
２７  ポストアンプ
３１  高速ＶＯＡ
３３  光フィルタ
３４  ＡＳＥ光源
【図１】
2015095808.tif 000003
【図２】
2015095808.tif 000004
【図３】
2015095808.tif 000005
【図４】
2015095808.tif 000006
【図５】
2015095808.tif 000007
【図６】
2015095808.tif 000008
【図７】
2015095808.tif 000009
【図８】
2015095808.tif 000010
【図９】
2015095808.tif 000011
【図１０】
2015095808.tif 000012
【図１１】
2015095808.tif 000013
【図１２】
2015095808.tif 000014
【図１３】
2015095808.tif 000015
【図１４】
2015095808.tif 000016
【図１５】
2015095808.tif 000017
【図１６】
2015095808.tif 000018
【図１７】
2015095808.tif 000019
【図１８】
2015095808.tif 000020
【図１９】
2015095808.tif 000021
【図２０】
2015095808.tif 000022
【図２１】
2015095808.tif 000023
【図２２】
2015095808.tif 000024
【図２３】
2015095808.tif 000025
【図２４】
2015095808.tif 000026
【図２５】
2015095808.tif 000027
【図２６】
2015095808.tif 000028
【図２７】
2015095808.tif 000029
【図２８】
2015095808.tif 000030
【図２９】
2015095808.tif 000031
【図３０】
2015095808.tif 000032
【図３１】
2015095808.tif 000033
【図３２】
2015095808.tif 000034
【図３３】
2015095808.tif 000035
【図３４】
2015095808.tif 000036
【図３５】
2015095808.tif 000037
【図３６】
2015095808.tif 000038
【図３７】
2015095808.tif 000039
【図３８】
2015095808.tif 000040